(57)【要約】  本開示は、一般に浮腫を治療するための方法および治療効果を監視するための方法に関する。より詳細には、本開示は、身体部の周囲の測定値の測定を含み、身体部は腫れることがあるので、例えば腫れが低減したか増加したかを観察することができる。【選択図】図１
2019509147.tif 000002
【特許請求の範囲】
【請求項１】
圧迫包帯による身体部内の浮腫の治療効果を決定するための方法であって、
前記身体部に前記包帯を巻き付けることと、
前記包帯を巻いた下、内部または上で前記身体部に少なくとも１つのセンサを付けることであって、各センサは、
前記身体部の少なくとも一部の上または周りの１つまたは複数の導電層であって、前記導電層（複数可）は伸縮自在である、１つまたは複数の導電層と、
前記１つまたは複数の導電層に電気接続される測定ユニットであって、前記測定ユニットは、前記１つまたは複数の導電層に関連した電気特性を測定するように構成され、前記電気特性は前記身体部の周囲の測定値に関連する、測定ユニットと
を備える、センサを付けることと、
前記身体部の周囲の複数の測定値を所定の期間登録することと、
前記身体部の周囲が所定のカットオフ値より低減した、かつ／または前記身体部の周囲の前記低減が前記所定の期間の後に所定のカットオフ値を超えたときに、前記治療が効率的であることを決定することと
を含む、方法。
【請求項２】
前記所定の期間は少なくとも１２時間、例えば少なくとも２４時間、例えば少なくとも２日、例えば少なくとも３日である、請求項１に記載の方法。
【請求項３】
前記低減に対する前記カットオフは少なくとも０．５〜３．０ｃｍである、請求項１または２のいずれか１項に記載の方法。
【請求項４】
少なくとも２つのセンサ、例えば少なくとも３つのセンサが付けられる、請求項１〜３のいずれか１項に記載の方法。
【請求項５】
前記センサは、前記身体部の周りおよび／もしくは上、ならびに／または前記身体部と接触する第２の弾性支持材料上に置くように構成された第１の弾性支持材料を備え、前記第１の弾性支持材料は長手方向軸を画定する第１の弾性支持材料の長さ、水平方向を画定する第１の弾性支持材料の幅、および横方向軸を画定する第１の弾性支持材料の厚さを有する、請求項１〜４のいずれか１項に記載の方法。
【請求項６】
前記１つまたは複数の導電層は、前記長手方向の少なくとも一部に沿って、および／または前記水平方向の少なくとも一部に沿って前記第１の弾性支持材料の少なくとも一部と接触する、請求項１〜５のいずれか１項に記載の方法。
【請求項７】
前記１つまたは複数の導電層は、その弛緩した状態に対して少なくとも２０％伸びることができる導電層の長さを有する、請求項１〜６のいずれか１項に記載の方法。
【請求項８】
前記身体部は脚もしくはその一部、足もしくはその一部、腕もしくはその一部、および／または手もしくはその一部、胴ならびに／または頭である、請求項１〜７のいずれか１項に記載の方法。
【請求項９】
前記身体部の周囲の測定値を受信ユニットに送信するように構成された送信ユニットをさらに備える、請求項１〜８のいずれか１項に記載の方法。
【請求項１０】
前記受信ユニットはデータ記憶ユニットを備える、請求項９に記載の方法。
【請求項１１】
前記送信ユニットは前記第１の弾性支持部に取り付けられる、請求項１０〜１０のいずれか１項に記載の方法。
【請求項１２】
前記送信ユニットは前記第１の弾性支持部から切り離される、請求項９〜１０のいずれか１項に記載の方法。
【請求項１３】
前記送信ユニット、前記測定ユニットおよび／または前記受信ユニットから選択された前記ユニットの少なくとも２つは、１つのユニットに統合される、請求項９〜１２のいずれか１項に記載の方法。
【請求項１４】
前記データ記憶ユニットはコンピュータ、サーバまたは携帯用デバイスである、請求項９〜１３３のいずれか１項に記載の方法。
【請求項１５】
前記受信ユニットは、前記１つまたは複数の導電層に電気信号を送信することにより、前記１つまたは複数の導電層の幅を長手方向に沿って制御するように構成された制御ユニットを備える、請求項１０〜１４のいずれか１項に記載の方法。
【請求項１６】
前記第２の弾性材料は包帯および／または圧迫衣類である、請求項１〜１５のいずれか１項に記載の方法。
【請求項１７】
前記デバイスは、前記１つまたは複数の導電層から、または前記第１の弾性支持材料から、前記長手方向に沿って、および／または前記水平方向に沿って延在する１つまたは複数の非弾性支持材料をさらに備える、請求項１〜１６のいずれか１項に記載の方法。
【請求項１８】
前記デバイスは、両端を互いに取り付けることができるように、前記長手方向軸の両端に取り付け手段を備える、請求項１〜１７のいずれか１項に記載の方法。
【請求項１９】
前記第１の弾性支持材料は、前記身体部の皮膚に取り付けられるように構成される、請求項１〜１８のいずれか１項に記載の方法。
【請求項２０】
前記第１の弾性支持材料は、包帯または圧迫衣類である、請求項１〜１９のいずれか１項に記載の方法。
【請求項２１】
前記第１の弾性支持材料の長さは、弛緩した状態で１５ｃｍ〜８５ｃｍである、請求項１〜２０のいずれか１項に記載の方法。
【請求項２２】
前記弾性支持部の幅は、弛緩した状態で１ｃｍ〜１５ｃｍ、例えば２〜１０ｃｍである、請求項１〜２１のいずれか１項に記載の方法。
【請求項２３】
前記第１の弾性支持材料の長さは、その弛緩した状態に対して少なくとも２０％伸びることができる、請求項１〜２２のいずれか１項に記載の方法。
【請求項２４】
前記第１の弾性支持材料の長さは、その弛緩した状態に対して２５０％まで伸びることができる、請求項１〜２３のいずれか１項に記載の方法。
【請求項２５】
前記第１の弾性支持材料は、前記１つまたは複数の導電層と同程度に伸びることができる、請求項１〜２４のいずれか１項に記載の方法。
【請求項２６】
前記１つまたは複数の導電層は、弛緩した状態で前記弾性支持部の長さに対して９０％未満、例えば７５％未満、例えば６０％未満、例えば５０％未満、例えば４０％未満、例えば３０％未満、例えば２０％未満、または例えば１０％未満の導電層の長さを有する、請求項１〜２５のいずれか１項に記載の方法。
【請求項２７】
前記１つまたは複数の導電層は、弛緩した状態で２ｃｍ〜８５ｃｍの導電層の長さを有する、請求項１〜２６のいずれか１項に記載の方法。
【請求項２８】
前記１つまたは複数の導電層は、弛緩した状態で１ｃｍ〜１５ｃｍ、例えば２〜１０ｃｍの導電層の幅を有する、請求項１〜２７のいずれか１項に記載の方法。
【請求項２９】
前記１つまたは複数の導電層は、その弛緩した状態に対して少なくとも２０％伸びることができる導電層の長さを有する、請求項１〜２８のいずれか１項に記載の方法。
【請求項３０】
前記１つまたは複数の導電層は、前記第１の弾性支持材料と同程度に伸びることができる、請求項１〜２９のいずれか１項に記載の方法。
【請求項３１】
前記１つまたは複数の導電層は、前記第１の弾性支持材料が前記身体部の周りおよび／もしくは上、ならびに／または前記身体部と接触する第２の弾性支持材料上に置かれると、前記導電層の長さがその弛緩した状態に対して少なくとも２０％予め伸びるように、前記身体部によって画定される導電層の長さを有する、請求項１〜３０のいずれか１項に記載の方法。
【請求項３２】
前記１つまたは複数の導電層は、前記水平方向に沿って互いから分離される、請求項１〜３１のいずれか１項に記載の方法。
【請求項３３】
前記１つまたは複数の導電層は、前記長手方向に沿って互いから分離される、請求項１〜３２のいずれか１項に記載の方法。
【請求項３４】
前記１つまたは複数の導電層は、前記層の間に伸縮自在のフィルムを有することにより横方向に沿って互いから分離される、請求項１〜３３のいずれか１項に記載の方法。
【請求項３５】
前記伸縮自在のフィルムは、前記電気特性が前記伸縮自在のフィルムの静電容量であることを画定する、請求項３４に記載の方法。
【請求項３６】
前記伸縮自在のフィルムは、前記第１の弾性支持材料と同程度に伸びることができる、請求項３４〜３５５のいずれか１項に記載の方法。
【請求項３７】
前記電気特性は前記導電層（複数可）の抵抗率である、請求項１〜３６のいずれか１項に記載の方法。
【請求項３８】
前記測定ユニットは前記１つまたは複数の導電層に関連した電気特性を測定するようにさらに構成され、前記電気特性は温度および／または湿度に関連する、請求項１〜３７のいずれか１項に記載の方法。
【請求項３９】
前記デバイスは、温度および／または湿度を測定するためにセンサをさらに備える、請求項１〜３８のいずれか１項に記載の方法。
【請求項４０】
前記測定ユニットは前記第１の弾性支持材料に取り付けられる、請求項１〜３９のいずれか１項に記載の方法。
【請求項４１】
前記測定ユニットは前記第１の弾性支持材料から切り離される、請求項１〜４０のいずれか１項に記載の方法。
【請求項４２】
前記１つまたは複数の導電層と接触する少なくとも１つの追加層をさらに備え、前記少なくとも１つの追加層は弾性であり、前記少なくとも１つの追加層は前記１つまたは複数の導電層に湿潤が移動しないように構成される、請求項１〜４１のいずれか１項に記載の方法。
【請求項４３】
前記少なくとも１つの追加層は前記第１の弾性支持材料と同一である、請求項４２２に記載の方法。
【請求項４４】
前記少なくとも１つの追加層は、弛緩した状態で１ｃｍ〜１５ｃｍ、例えば２〜１０ｃｍの追加層の幅を有する、請求項４２２〜４３３のいずれか１項に記載の方法。
【請求項４５】
前記少なくとも１つの追加層は、前記第１の弾性支持材料と同程度に伸びることができる、請求項４２２〜４４４のいずれか１項に記載の方法。
【請求項４６】
身体部内の慢性浮腫の維持圧迫治療の効果を決定するための方法であって、
前記身体部に圧迫包帯または衣類を付けることと、
前記包帯または衣類の下、内部または上で前記身体部に少なくとも１つのセンサを付けることであって、各センサは、
前記身体部の少なくとも一部の上または周りの１つまたは複数の導電層であって、前記導電層（複数可）は伸縮自在である、１つまたは複数の導電層と、
前記１つまたは複数の導電層に電気接続される測定ユニットであって、前記測定ユニットは、前記１つまたは複数の導電層に関連した電気特性を測定するように構成され、前記電気特性は前記身体部の周囲の測定値に関連する、測定ユニットと
を備える、センサを付けることと、
前記身体部の周囲の複数の測定値を所定の期間登録することと、
前記身体部の周囲が前記所定の期間に所定の間隔の範囲内で変化するときに、前記治療が効率的であることを決定することと
を含む、方法。
【請求項４７】
前記所定の間隔は０．５ｃｍ〜３．０ｃｍの範囲である、請求項４６に記載の方法。
【請求項４８】
請求項２〜４５のいずれか１項の特徴の１つまたは複数を有する、請求項４７に記載の方法。
【請求項４９】
身体部に包帯を巻くための圧迫包帯または衣類の耐用寿命の終了を決定するための方法であって、
前記身体部に前記包帯または衣類を付けることと、
前記包帯または衣類の下、内部または上で前記身体部に少なくとも１つのセンサを付けることであって、各センサは、
前記身体部の少なくとも一部の上または周りの１つまたは複数の導電層であって、前記導電層（複数可）は伸縮自在である、１つまたは複数の導電層と、
前記１つまたは複数の導電層に電気接続される測定ユニットであって、前記測定ユニットは、前記１つまたは複数の導電層に関連した電気特性を測定するように構成され、前記特性は前記身体部の周囲の測定値に関連する、測定ユニットと
を備える、センサを付けることと、
身体部の周囲の複数の測定値を所定の期間登録することと、
前記身体部の周囲が所定のカットオフを超えて増加した、かつ／または前記増加が前記所定の期間に所定のカットオフを超えたときに、前記圧迫包帯または衣類の耐用寿命が終了したことを決定することと
を含む、方法。
【請求項５０】
前記増加に対する前記所定のカットオフは３．０ｃｍである、請求項４９に記載の方法。
【請求項５１】
請求項２〜４５のいずれか１項の特徴の１つまたは複数を有する、請求項４９または５０に記載の方法。
【請求項５２】
包帯を巻いた身体部を有する個人における皮膚感染症の危険性を決定するための方法であって、
前記身体部に前記包帯を巻き付けることと、
前記包帯を巻いた下、内部または上で前記身体部にセンサを付けることであって、前記センサは、
前記身体部の少なくとも一部の上または周りの１つまたは複数の導電層であって、前記導電層（複数可）は伸縮自在である、１つまたは複数の導電層と、
前記身体部の温度および／または湿度を測定するように構成された測定ユニットと
を備える、センサを付けることと、
前記身体部の複数の前記測定値を所定の期間登録することと、
温度および／または湿度の前記測定値が前記所定の期間に所定のカットオフを超えて増加したときに、前記包帯の下に皮膚感染症の危険性があることを決定することと
を含む、方法。
【請求項５３】
前記身体部の温度および／または湿度を測定するように構成された前記測定ユニットは、前記１つまたは複数の導電層に電気接続され、それによって前記測定ユニットは前記１つまたは複数の導電層に関連した電気特性を測定するように構成され、前記電気特性は、前記身体部の温度および／または湿度の測定値に関連する、請求項５２に記載の方法。
【請求項５４】
前記測定ユニットは温度および／または湿度を測定するためにセンサを備える、請求項５２または５３に記載の方法。
【請求項５５】
請求項２〜４５のいずれか１項の特徴の１つまたは複数を有する、請求項５２〜５４のいずれか１項に記載の方法。
【請求項５６】
身体部の浮腫の治療のための方法であって、
前記身体部に包帯を付けることと、
前記包帯を巻いた下、内部または上で前記身体部に作動可能なセンサを付けることであって、前記センサは、
前記身体部の少なくとも一部の上または周りの１つまたは複数の導電層であって、前記導電層（複数可）は伸縮自在であり、前記導電層（複数可）は前記層（複数可）に印加された信号により収縮可能である、１つまたは複数の導電層と、
前記１つまたは複数の導電層に電気接続される測定ユニットであって、前記測定ユニットは、前記１つまたは複数の導電層に関連した電気特性を測定するように構成され、前記電気特性は前記身体部の温度および／または湿度の測定値に関連する、測定ユニットと
を備える、センサを付けることと、
前記身体部の複数の前記測定値を所定の期間登録することと、
前記身体部の周囲が前記所定の期間の後に所定のカットオフを超えて増加するときに、前記センサを作動させ、それによって前記センサを収縮することと
を含む、方法。
【請求項５７】
前記方法は制御ユニットおよび送信ユニットも含み、それによって前記制御ユニットは前記長手方向軸に沿って前記１つまたは複数の導電層の長さを制御するように構成される、請求項５６に記載の方法。
【請求項５８】
前記制御ユニットは、前記送信ユニットから直接前記身体部の周囲の測定値を受信する、請求項５７に記載の方法。
【請求項５９】
前記信号は、前記１つまたは複数の導電層が前記層（複数可）の収縮をもたらすための電気信号である、請求項５６〜５８のいずれか１項に記載の方法。
【請求項６０】
少なくとも２つの作動可能なセンサが付けられ、前記センサの作動は各センサに個別に行われる、請求項５６〜５９のいずれか１項に記載の方法。
【請求項６１】
前記センサの前記収縮は前記所定の期間維持される、請求５６〜６０のいずれか１項に記載の方法。
【請求項６２】
前記作動可能なセンサは収縮と弛緩の反復のパルス運動を行う、請求項５６〜６０のいずれか１項に記載の方法。
【請求項６３】
身体部内の慢性浮腫の維持治療のための圧迫衣類を設計するための方法であって、
少なくとも１つの所定期間に請求項４６〜４８のいずれか１項に定義されたような方法により、少なくとも１つのセンサ位置から前記身体部の周囲の前記複数の測定値を獲得することと、
前記センサ位置に対応する前記身体部のそれぞれの区分に対する前記圧迫要求を決定することと、
前記決定された圧迫要求に基づいて圧迫ストッキングを設計することと
を含む、方法。
【請求項６４】
前記圧迫ストッキングは、少なくとも２つのストッキング区分を有するように設計され、前記少なくとも２つのストッキング区分は異なる圧迫特徴を有する、請求項６３に記載の方法。
【請求項６５】
周囲の測定値は少なくとも２つのセンサ位置に対して獲得される、請求項６３または６４に記載の方法。
【請求項６６】
少なくとも第１の区分および第２の区分を備える維持圧迫治療のための圧迫ストッキングであって、前記第１の区分内の前記圧迫特徴は前記第２の区分内の前記圧迫特徴と異なる、圧迫ストッキング。
【請求項６７】
個人のための治療計画を同定するための方法であって、
前記身体部に包帯を巻き付けるステップと、
前記包帯を巻いた下、内部または上で前記身体部に少なくとも１つのセンサを付けるステップであって、各センサは、
前記身体部の少なくとも一部の上または周りの１つまたは複数の導電層であって、前記導電層（複数可）は伸縮自在である、１つまたは複数の導電層と、
前記１つまたは複数の導電層に電気接続される測定ユニットであって、前記測定ユニットは、前記１つまたは複数の導電層に関連した電気特性を測定するように構成され、前記電気特性は前記身体部の周囲の測定値に関連する、測定ユニットと
を備える、センサを付けるステップと、
前記身体部の周囲の複数の測定値を所定の期間登録するステップと、
前記身体部の動きの複数の測定値を前記所定の期間登録するステップと、
前記身体部の動きの前記複数の測定値から治療予定を決定するステップと
を含む、方法。
【請求項６８】
前記身体部の動きの前記複数の測定値は加速度計を使用して測定される、請求項６７に記載の方法。
【請求項６９】
前記身体部の動きの前記複数の測定値は前記センサを使用して測定される、請求項６７に記載の方法。
【請求項７０】
前記加速度計は前記センサと統合される、請求項６８に記載の方法。
【請求項７１】
前記治療計画は前記個人の活動に関連する、請求項６７〜７０のいずれか１項に記載の方法。
【請求項７２】
前記治療計画は前記個人のタイプに関連する、請求項６７〜７１のいずれか１項に記載の方法。
【請求項７３】
前記治療計画は表示装置上で前記個人に表示される、請求項６７〜７２のいずれか１項に記載の方法。
【請求項７４】
前記身体部に少なくとも１つのセンサを付けるステップに続いて、
伸びの量が所定量未満である場合に、伸びの不足に関する警告が前記個人に表示装置上で表示され、
伸びの量が所定量を超える場合、伸びの過剰に関する警告が前記個人に表示装置上で表示される
ように、前記センサの伸びの量を決定するステップが続く、請求項１〜７３のいずれか１項に記載の方法。
【発明の詳細な説明】
【技術分野】
【０００１】
本発明は、浮腫の治療ならびに治療および治療に使用するための衣類の監視に関する。
【背景技術】
【０００２】
本開示は、一般に浮腫を治療するための方法および治療の効果を監視するための方法に関する。より詳細には、本開示は、身体部の周囲の測定値の測定を含み、そこにおいて身体部は腫れていることがあり、そうすると、例えば、腫れが低減しているかまたは増加しているかどうかを観察できる。
【０００３】
浮腫はいくつかの基礎疾患によって起きることがある。最も一般的な形は、静脈不全およびリンパ浮腫に起因する浮腫である。
【０００４】
静脈不全から起こる浮腫は通常脚に見られ、両脚に見られることが多い。
【０００５】
リンパ浮腫は腕、脚、胴、頭および首などのあらゆる身体部に腫れとして現れることがあり、一般に癌の手術または放射線治療を受けた個人に見出される。
【０００６】
浮腫は、流体が組織空間内に蓄積した結果であり、著しい身体的および心理的罹患状態になることがある。多い症状は痛みおよび不快感であり、潰瘍および皮膚感染症に対する脆弱性が増すことにより、入院が増え、抗生物質に依存する時間が長くなる可能性がある。静脈不全およびリンパ浮腫による浮腫は慢性状態であり、これは適切な管理によって緩和され得る。慢性浮腫が適切に治療されない場合、時間が経つにつれて組織内の流体および老廃物が組織を厚くして線維症（過剰な線維組織）をもたらす可能性がある。組織は堅くなり、腫れは手足の挙上で低減しない。
【０００７】
慢性浮腫を管理する１つのやり方は、圧迫の組合せ、例えば包帯または圧迫衣類の使用およびリンパマッサージを伴う、もしくは伴わない運動を通して腫れを低減させることである。
【０００８】
多くの圧迫システムが入手可能である。患者に適切な圧迫製品を選択するために、特に脚の潰瘍がある患者は様々な製品の完全な理解が必要である。しかしこの選択は、規格化された圧迫分類の不足、専門用語に関する混乱、およびどの型の圧迫システムが最も効果的であるかについての証拠が不足しているので困難である恐れがある。
【発明の概要】
【０００９】
本発明は、医師が患者と協力して最適な圧迫包帯または衣類を選択し、包帯または衣類の効果を監視し、包帯または衣類を変えるときの決定を支援することができるために、浮腫の治療、特に慢性浮腫を監視するための方法に関する。
【００１０】
したがって一態様では、本発明は、圧迫包帯を巻くことによる身体部内の浮腫の治療効果を決定するための方法に関し、該方法は、
該身体部に該包帯を巻き付けることと、
該包帯を巻いた下、内部または上で該身体部に少なくとも１つのセンサを付けることであって、各センサは、
該身体部の少なくとも一部の上または周りの１つまたは複数の導電層であって、導電層（複数可）は伸縮自在である、１つまたは複数の導電層と、
１つまたは複数の導電層に電気接続される測定ユニットであって、測定ユニットは、１つまたは複数の導電層に関連した電気特性を測定するように構成され、電気特性は身体部の周囲の測定値に関連する、測定ユニットとを備える、センサを付けることと、
身体部の周囲の複数の測定値を所定の期間登録することと、
身体部の周囲が所定のカットオフ値より低減した、かつ／または身体部の周囲の低減が該所定の期間の後に所定のカットオフ値を超えたときに、治療が効率的であることを決定することとを含む。
【００１１】
加えて、本発明は、慢性浮腫の治療のための方法に関し、該治療は身体部内の慢性浮腫の維持圧迫治療の効果を決定するための方法を含み、該方法は、
該身体部に圧迫包帯または衣類を付けることと、
該包帯または衣類の下、内部または上で該身体部に少なくとも１つのセンサを付けることであって、各センサは、
該身体部の少なくとも一部の上または周りの１つまたは複数の導電層であって、導電層（複数可）は伸縮自在である、１つまたは複数の導電層と、
１つまたは複数の導電層に電気接続される測定ユニットであって、測定ユニットは、１つまたは複数の導電層に関連した電気特性を測定するように構成され、電気特性は身体部の周囲の測定値に関連する、測定ユニットとを備える、センサを付けることと、
身体部の周囲の複数の測定値を所定の期間登録することと、
身体部の周囲が該所定の期間に所定の間隔の範囲内で変化するときに、治療が効率的であることを決定することとを含む。
【００１２】
さらに別の態様では、本発明は、身体部に包帯を巻くための圧迫包帯または衣類の耐用寿命の終了を決定するための方法に関し、該方法は、
該身体部に該包帯または衣類を付けることと、
該包帯または衣類の下、内部または上で該身体部に少なくとも１つのセンサを付けることであって、各センサは、
該身体部の少なくとも一部の上または周りの１つまたは複数の導電層であって、導電層（複数可）は伸縮自在である、１つまたは複数の導電層と、
１つまたは複数の導電層に電気接続される測定ユニットであって、測定ユニットは、１つまたは複数の導電層に関連した電気特性を測定するように構成され、電気特性は身体部の周囲の測定値に関連する、測定ユニットとを備える、センサを付けることと、
身体部の周囲の複数の測定値を所定の期間登録することと、
身体部の周囲が所定のカットオフ値を超えて増加した、かつ／または増加が該所定の期間に所定のカットオフを超えたときに、圧迫包帯または衣類の耐用寿命が終了したことを決定することとを含む。
【００１３】
また本発明は、包帯を巻いた身体部を有する個人における皮膚感染症の危険性を決定するための方法にも関し、該方法は、
該身体部に圧迫包帯を巻き付けることと、
該包帯を巻いた下、内部または上で該身体部にセンサを付けることであって、各センサは、
該身体部の少なくとも一部の上または周りの１つまたは複数の導電層であって、導電層（複数可）は伸縮自在である、１つまたは複数の導電層と、
身体部の温度および／または湿度を測定するように構成された測定ユニットとを備える、センサを付けることと、
身体部の複数の該測定値を所定の期間登録することと、
温度および／または湿度の測定が該所定の期間に所定のカットオフを超えたときに、包帯の下に皮膚感染症の危険性があることを決定することとを含む。
【００１４】
別の態様では、導電層は信号により収縮可能であり、能動的圧迫に使用されてもよく、したがって本発明は身体部の浮腫の治療のための方法に関し、
該身体部に包帯を付けることと、
該包帯を巻いた下、内部または上で該身体部に作動可能なセンサを付けることであって、該センサは、
該身体部の少なくとも一部の上または周りの１つまたは複数の導電層であって、導電層（複数可）は伸縮自在であり、導電層（複数可）は層（複数可）に印加された信号により収縮可能である、１つまたは複数の導電層と、
１つまたは複数の導電層に電気接続される測定ユニットであって、測定ユニットは、１つまたは複数の導電層に関連した電気特性を測定するように構成され、電気特性は身体部の温度および／または湿度の測定値に関連する、測定ユニットとを備える、センサを付けることと、
身体部の複数の該測定値を所定の期間登録することと、
身体部の周囲が該所定の期間の後に所定のカットオフを超えて増加するときに、センサを作動させ、それによってセンサを収縮することとを含む。
【００１５】
さらに圧迫治療効果の監視を通して獲得された情報は、最適化された圧迫衣類の設計に使用されてもよく、その結果として本発明は、身体部内の慢性浮腫の維持治療のための圧迫衣類を設計するための方法に関し、該方法は、
少なくとも１つの所定期間に上に定義されたような方法により少なくとも２つのセンサ位置のそれぞれに対する身体部の周囲の該複数の測定値を獲得することと、
センサ位置に対応する身体部のそれぞれの区分に対する圧迫要求を決定することと、
決定された圧迫要求に基づいて圧迫ストッキングを設計することとを含む。
【００１６】
また本発明は、最適化された圧迫衣類にも関する。
【００１７】
さらなる態様は個人のための治療計画を同定するための方法に関し、該身体部に包帯を巻き付けるステップと、該包帯を巻いた下、内部または上で該身体部に少なくとも１つのセンサを付けるステップであって、各センサは、該身体部の少なくとも一部の上または周りの１つまたは複数の導電層であって、導電層（複数可）は伸縮自在である、１つまたは複数の導電層と、１つまたは複数の導電層に電気接続される測定ユニットであって、測定ユニットは、１つまたは複数の導電層に関連した電気特性を測定するように構成され、電気特性は身体部の周囲の測定値に関連する、測定ユニットとを備える、センサを付けるステップと、身体部の周囲の複数の測定値を所定の期間登録することと、身体部の動きの複数の測定値を所定の期間登録するステップと、身体部の動きの該複数の測定値から治療計画を決定するステップとを含む。
【図面の簡単な説明】
【００１８】
【図１】第１の位置Ｂにおける脚の周囲に関連する電気特性が経時でどのように変化するかを示す図である。約２４時間の期間が横軸に沿って示され、電気特性、静電容量が縦軸に沿って示されている。数個の測定点は２４時間周期に沿って示されている。最初は包帯が脚に付けられた第１の測定値１を示す。第２の測定値２は患者が座位から歩行に変わったときである。第３の測定値３は、包帯を脚に再度付ける前であり、測定値４は包帯を再度付けた後である。測定値５は患者が脚を水平位置にしているときである。測定値６は患者が就寝したときであり、測定値７は患者が起床したときである。測定値８では、患者は車を運転している。最後に測定値９で測定が終わる。
【図２】図１に記載されたように測定された脚の周囲に関する電気特性が、現在第２の位置Ｃにあり、経時でどのように変化するかを示す図である。約２４時間の期間が横軸に沿って示され、電気特性、静電容量が縦軸に沿って示されている。数個の測定点は２４時間周期に沿って示されている。最初は包帯が脚に付けた第１の測定値１を示す。第２の測定値２は患者が座位から歩行に変わったときである。第３の測定値３は、包帯を脚に再度付ける前であり、測定値４は包帯を再度付けた後である。測定値５は患者が脚を水平位置にしているときである。測定値６は患者が就寝したときであり、測定値７は患者が起床したときである。測定値８では、患者は車を運転している。最後に測定値９で測定が終わる。図１と図２を比較によってわかるように、同じ脚は異なる位置、すなわちＢおよびＣにおいて周囲が異なる変化をする。したがってこれらの２つの図は、包帯を再度付ける、または交換する必要があるときのより正確な測定値は、少なくとも２つの異なる位置の少なくとも２つの異なる測定値を有することによって提供されることを示す。
【図３−８】本発明の第１の態様によるデバイスの測定ユニットを使用して測定される電気特性の別の例を示す図である。
【図９−１０】本発明の第１の態様によるデバイスの他の実施形態を示す図である。
【発明を実施するための形態】
【００１９】
定義
以下の定義は本文書を通して使用される。
【００２０】
浮腫は身体部の腫れを意味し、用語「浮腫」は静脈不全ならびにリンパ浮腫に起因する浮腫を網羅する。
【００２１】
圧迫包帯は、身体部の周りに巻き付ける包帯の層を意味する。
【００２２】
圧迫衣類は、治療する身体部に適合する衣類を意味し、脚用の圧迫ストッキングと同様に腕の圧迫手袋、圧迫ベスト、および圧迫マスクを含む。
【００２３】
圧迫治療は、腫れを低減するための初期治療と、個人が浮腫を患っている際に腫れを抑止するための維持治療に分割される。
【００２４】
本発明の詳細
浮腫の治療、具体的には慢性浮腫、例えば静脈不全またはリンパ浮腫によって生じた浮腫は、主に圧迫包帯および圧迫衣類の使用を通した水腫性身体部の圧迫である。
【００２５】
通常治療は、腫れをできる限り低減させる初期圧迫治療と、新しい腫れの危険性を低減するために行われる維持圧迫治療に分割されてもよい。
【００２６】
圧迫包帯および圧迫衣類は、浮腫の低減を維持するために１日に２４時間、または毎日少なくとも歩いている時間に着用することを意味し、定期的に交換しなければならない。圧迫衣類は、特別に仕立てられてもよく、または店頭で購入されてもよい、すなわち標準の大きさであってもよい。一部の人は特別に仕立てられた圧迫衣類が必要になり、これらの衣類が正確に適合することが重要である。
【００２７】
圧迫包帯または衣類の材料は、通常弾性、長伸性、非弾性、または短伸性を特徴とする。用語弾性および長伸性（弾性／長伸性）包帯は同義で使用されることが多く、非弾性および短伸性（非弾性／短伸性）包帯も同様である。伸張性はこれら２つの基本的な型の間で際立って異なる。伸張性は、包帯を引っ張ったときに伸びることができる程度を指す。概して弾性／長伸性包帯は１００％を超える最大伸張性を有するのに対して、非弾性／短伸性包帯は１００％未満の最大伸張性を有する。しかし例えば異なる業者からの非弾性材料は、同じ区分内の材料であっても異なる程度の弾性および耐久性を有することがある。
【００２８】
以下に論じるように、２つの異なる型の圧迫包帯および衣類の材料は、異なる型の浮腫および患者に適することがある。
【００２９】
段階的圧迫、すなわち心臓に向かって段階的に低減する圧力は、圧迫治療法の基本原理である。身体の総血液量のほぼ６０％〜８０％は静脈循環内にある。歩行中または体重移動中、腓筋の収縮は主に静脈を通って血液を心臓に戻すことを意味する。短伸性包帯は腓筋の収縮に対して外力を生成する。短伸性包帯が収縮して短縮するときに短伸性包帯により腓筋が外方に隆起できないので、短伸性包帯は内方への圧力を発生させる。この力は静脈を圧迫しポンプ供給し、血液を心臓に向かって推進させ、包帯の段階的圧迫（脹脛より足首の圧力が大きい）により、不全静脈を通って血液が逆流するのを防ぐ。これは作動圧力と呼ばれる。したがって短伸性圧迫治療は高い作動圧力をもたらす。
【００３０】
逆に、長伸性包帯は浮腫が増大するにつれて伸びる。また長伸性包帯は腓筋の収縮にほとんど抵抗しない。したがって長伸性包帯は低い作動圧力を有し、腓筋のポンプ供給を促進せず、浮腫の抑制をほとんどなさない。しかし最初に長伸性包帯が浮腫を治療する初期段階において適切な治療を提供することがある。
【００３１】
浮腫の治療は、圧迫包帯が過剰流体を除去する役に立つので、圧迫包帯を着用しながら歩行などの一般運動、または特定の治療的運動をするものであることが多い。
【００３２】
圧迫包帯および圧迫衣類
上に定義されたように、圧迫包帯は身体部の周りに巻き付ける、任意選択ではパッドと組み合わせた１つまたは複数の層からなる包帯である。圧迫包帯は、一般に腫れを低減するために浮腫治療の初期段階に使用される。圧迫包帯は定期的に、例えば少なくとも３日毎に付け変えられてもよい。
【００３３】
また上に定義されたように、圧迫衣類はあらゆる身体部に提供されてもよい。圧迫衣類の大部分は圧迫ストッキングである。以下にストッキングについてさらに詳しく論じるが、その検討は他の型の衣類にも等しく適応する。
【００３４】
圧迫ストッキングは、２つの異なる工程、平編み工程または丸編み工程のいずれか１つによって製造される。
【００３５】
平編み機によって製造された圧迫ストッキングは、編みパターンに従って１段毎に編まれる。平編みストッキングは、表された解剖学的形状に従ってほとんど無制限の形状および大きさに製造することができ、また極端な変形にさえも適合するように作ることもできる。平編み工程は特注製品、特により高い圧迫クラスに適する。完璧に適合するので、ストッキングは圧迫の適正なレベル、ならびに圧力の段階を極端な身体形状に対しても届けることができる。平編みストッキングは一般により厚く、縫い目を有する。
【００３６】
丸編み圧迫ストッキングは、標準の女性用ナイロンのように円筒上で編まれ、縫い目を有さない。一般にストッキングの全長にわたって段毎に同数の輪が使用される。丸編みは主にサポートストッキングおよび予防用ストッキングの製造に適している。縫い目のない丸編みストッキングは、平編みによって製造されるストッキングより細かく／より薄く、外見をより魅力的に作ることができる。
【００３７】
圧迫包帯または圧迫衣類の選択とは無関係に、包帯または衣類は、細心の注意で取り扱った場合であっても耐久性は限られている。約６か月後には、圧迫包帯または圧迫衣類は擦り切れ、その圧迫効果を失う。
【００３８】
しかし圧迫治療が非常に効率的であるので腫れが低減した場合に、古いものが太過ぎる時点になるより早目に圧迫ストッキングを交換する必要があることもある。
【００３９】
治療効果の決定
一態様では、本発明は、身体部内の浮腫の治療効果、具体的には腫れを低減させるべき初期治療の効果を決定するための方法に関する。方法は、圧迫包帯または衣類を付けること、さらに該身体部に以下に詳細に記載されるように少なくとも１つのセンサを付けることを含む。センサは、治療される患者ならびに包帯および衣類に適するように、圧迫包帯または衣類の下、内部または上に付けられてもよい。
【００４０】
方法は、治療される身体部毎に１つのセンサを使用して実行されてもよいが、通常は少なくとも２つのセンサが使用されることが好ましく、より好ましくは治療効果を決定するために必要な情報を獲得するために少なくとも３つのセンサが使用される。センサは好ましくは当技術分野で使用される標準測定位置に位置付けられる。測定のための標準位置は脚に対して図１に示されており、脚だけでなく他の身体部に対する標準位置は浮腫を治療する臨床医のための教科書および指針に見出すことができる。
【００４１】
センサの使用により、身体部の周囲の複数の測定値が所定の期間に測定される。所定の期間は治療段階および治療される患者の条件を考慮したあらゆる適切な期間である。通常所定の期間は少なくとも１２時間、例えば少なくとも２４時間、例えば少なくとも２日、例えば少なくとも３日である。
【００４２】
また治療効果は、患者によって行われる運動を考慮して決定されてもよい。好ましい実施形態では、センサは問題になっている身体部の動きに対する測定値を提供できる。概して身体部の動きが大きいほど、腫れの低減は速い。したがって治療効果は、行われたあらゆる運動を考慮した腫れの低減の測定値であってもよい。動きは以下に記載されるようなセンサを通して直接測定されてもよく、または動きは以下に記載されるような加速度計などのあらゆる他の手段によって測定されてもよい。
【００４３】
所定の期間内に測定は定期的な間隔で、好ましくは１時間当たり数回行われる。具体的には監視中に患者によって行われたあらゆる動きを考慮するために、測定を好ましくは１時間当たり少なくとも４回、より好ましくは１時間当たり少なくとも６回または１時間当たり１２回行う。
【００４４】
所定の期間の終了後、身体部の周囲が所定のカットオフ値より低減した、かつ／または身体部の周囲の低減が所定のカットオフ値を超えたときに、治療が効率的であることが決定される。
【００４５】
カットオフは標準カットオフであってもよく、または治療段階および患者の条件を個々に考慮して決定されてもよい。通常低減のためのカットオフは、初期治療の終了に向かって低減されるために治療の開始において１日当たり少なくとも０．５ｃｍ〜３ｃｍである。別の実施形態では、カットオフは少なくとも１％〜６％の低減などのパーセンテージの低減として定義される。一般にカットオフが高いほど、所定の期間に患者が行った運動が多い。
【００４６】
この方法を行うことにより、先行技術の方法によって獲得されるものよりはるかに早く治療効果を評価することができ、さらに治療の文書化も本方法によって促進される。
【００４７】
治療が有効であると証明されなかった場合、患者の運動を考慮して、圧迫包帯もしくは衣類の材料の変更または圧迫包帯の場合に包帯を巻き直すなど、治療の変更を考えなければならない。
【００４８】
別の態様では、本発明は、身体部内の慢性浮腫の維持圧迫治療、すなわち腫れの初期低減の後に新しい腫れを防ぐための効率を決定するための方法に関する。
【００４９】
上記の方法のように、本方法は、該身体部に圧迫包帯または衣類を付けること、および該包帯または衣類の下、内部または上で該身体部に少なくとも１つのセンサを付けることに関与する。
【００５０】
また身体部の周囲の複数の測定値は所定の期間測定され、一般に初期治療と同じ測定頻度で維持治療に対して実行される。さらに上記のセンサの数ならびにセンサの位置が、本発明の本態様と同様に良好に適用される。
【００５１】
維持圧迫治療は、身体部の周囲が該所定の期間所定の範囲内で変化し、その範囲を超えて増加しないときに有効であると決定される。その範囲は一般に数センチメートル、例えば約３ｃｍ、より好ましくは２ｃｍである。腫れが該範囲内に収まらないほど大きい場合、具体的には次の期間の測定結果が同じ傾向を示す場合、圧迫治療が有効でない危険性が大きい。
【００５２】
また所定の期間を通して実行された複数の測定に起因して、方法はその日の間にばらつきについての有益な情報も提供する。脚の浮腫を有し、例えば学校の教師および一部の職人のように、その日の一部を起立している患者に対して、この方法は、患者が働いているとき、および家にいるときに圧迫治療が有効であるかどうかについての情報を提供してもよく、これは患者が仕事用および自宅用の異なる圧迫ストッキングを必要とすることがあるという結論を導くことがある。
【００５３】
さらに上記のように治療を監視することにより、圧迫包帯または衣類が効率的に作用している患者は、腫れが低減しない、または実際に増加した人と同じ頻度で通院する必要がないかもしれないという点で、患者に対する通院を調整することもできる。
【００５４】
上に論じたように、異なる販売業者からの圧迫包帯または衣類は、弾性および耐久性に関して異なる圧迫特徴を示す。個々の患者に適合するように設計された圧迫衣類は、市販であっても特注品であっても、毎日着用し、衣類のある特定の着用に及ぼす定期的な洗濯をしなければならない。通常患者は間で交換するために数組の衣類を有するが、健康保険などにより全額または一部が支給される場合、患者は通常半年毎に３組以上は付与されない。したがって圧迫特徴が要求を満たさないとき、患者が新しい腫れの形成ならびに次の潰瘍および感染症の深刻な副作用の危険にさらされるので、圧迫特徴の耐久性は患者にとって非常に重要な要因であると考えられる。
【００５５】
本発明は、圧迫衣類に対する耐用寿命が終了した、または終わりを迎えるとき、すなわち圧迫衣類の圧迫特徴が問題のある患者に対する要求を満たさず、したがって新しい組の衣類を取得することが適切であるときを決定するための方法を提供する。
【００５６】
したがって本発明は身体部に包帯を巻くための圧迫包帯または衣類の耐用寿命の終了を決定するための方法に関し、該方法は、
該身体部に圧迫包帯または衣類を付けることと、
該包帯または衣類の下、内部または上で該身体部に少なくとも１つのセンサを付けることであって、各センサは、
該身体部の少なくとも一部の上または周りの１つまたは複数の導電層であって、導電層（複数可）は伸縮自在である、１つまたは複数の導電層と、
１つまたは複数の導電層に電気接続される測定ユニットであって、測定ユニットは、１つまたは複数の導電層に関連した電気特性を測定するように構成され、電気特性は身体部の周囲の測定値に関連する、測定ユニットとを備える、センサを付けることと、
身体部の周囲の複数の測定値を所定の期間登録することと、
身体部の周囲が所定のカットオフ値を超えた、かつ／または増加が該所定の期間に所定のカットオフを超えたときに、圧迫包帯または衣類の耐用寿命が終了したことを決定することとを含む。
【００５７】
上に論じたように、浮腫を患った個人は浮腫の身体部に皮膚の感染症を起こす危険がある。本発明は感染症の危険性を決定するための方法を提供し、それによって早期に警告する信号が提供されて感染症の防止または早期治療のどちらかを導く。したがって本発明は、包帯を巻いた身体部を有する個人の皮膚の感染症の危険性を決定するための方法に関し、該方法は、
該身体部に圧迫包帯を巻き付けることと、
該包帯を巻いた下、内部または上で該身体部にセンサを付けることであって、該センサは、
該身体部の少なくとも一部の上または周りの１つまたは複数の導電層であって、導電層（複数可）は伸縮自在である、１つまたは複数の導電層と、
身体部の温度および／または湿度を測定するように構成された測定ユニットとを備える、センサを付けることと、
身体部の複数の該測定値を所定の期間登録することと、
温度および／または湿度の測定が該所定の期間に所定のカットオフを超えたときに、包帯の下に皮膚感染症の危険性があることを決定することとを含む。
【００５８】
身体部の温度および／または湿度を測定するように構成された測定ユニットは、１つまたは複数の導電層に電気接続されてもよく、それによって測定ユニットは１つまたは複数の導電層に関連した電気特性を測定するように構成され、電気特性は、単一の導電層の抵抗率が温度に依存してもよく、抵抗率を登録することにより温度の測定値が獲得されるという点で、身体部の温度および／または湿度の測定値に関する。
【００５９】
代替形態では、測定ユニットは温度および／または湿度を測定するためのセンサを備える。
【００６０】
圧迫包帯または衣類の下の温度または湿度のいずれかを測定することにより、患者および／または医師に疑わしい感染症の初期の兆候を提供する。本発明による方法により、患者が包帯または衣類を着用している間に感染症の危険性が決定されることができるので、感染症に対して身体部を検査するために包帯または衣類をそれほど頻繁に取り除く必要はない。一方、患者が包帯または衣類を着用していても、依然として早期の警告を得ることができる。一般に０．５℃以上の温度上昇、例えば１．０℃以上の温度上昇が、感染症の指標である。
【００６１】
作動可能なセンサ
また本発明のさらに別の態様では、周囲の変化を測定するためのセンサは、電気信号などの信号への応答として収縮することができる作動可能なセンサであってもよい。それによってセンサ（複数可）も浮腫の治療の活性部であってもよく、その結果として本発明は身体部の浮腫を治療するための方法にさらに関し、
該身体部に包帯を付けることと、
該包帯を巻いた下、内部または上で該身体部に作動可能なセンサを付けることであって、該センサは、
該身体部の少なくとも一部の上または周りの１つまたは複数の導電層であって、導電層（複数可）は伸縮自在であり、導電層（複数可）は層（複数可）に印加された信号により収縮可能である、１つまたは複数の導電層備える、センサを付けることと、
身体部の複数の該測定値を所定の期間登録することと、
身体部の周囲が該所定の期間の後に所定のカットオフを超えて増加するときに、センサを作動させ、それによってセンサを収縮することとを含む。
【００６２】
また好ましい実施形態では、方法は制御ユニットおよび送信ユニットも含み、それによって制御ユニットは、例えば送信ユニットから直接身体部の周囲の測定値を受領することにより、長手方向軸に沿って１つまたは複数の導電層の長さを制御するように構成される。
【００６３】
以下に詳細に記載される１つまたは複数の導電層は、制御ユニットが例えば身体の周囲の測定値に基づいて入力を受信すると、制御ユニットが層（複数可）の収縮を起こすために１つまたは複数の導電層に電気信号を送信することができるように、アクチュエータとして構成されてもよい。
【００６４】
したがって制御ユニットを有することによって、本発明は、測定ユニットからの出力に基づいた命令を受信すると、さらに身体部に第１の弾性支持材料を締め付けることに基づいたフィードバック機構、すなわち治療を提供する。換言すると、本発明は、自動的に自己適応可能な支持材料、例えば包帯および／または圧迫衣類を提供してもよい。
【００６５】
好ましくは、方法は少なくとも２つの作動可能なセンサを含み、それによってセンサの作動が各センサに対して個別に行われる。一実施形態では、一方のセンサは１つの規模に収縮され、他方は別の規模に収縮されるか、または身体部の局所に起きるかもしれない腫れを収納するために全く収縮されなくてもよい。
【００６６】
収縮は、行われた測定が弛緩またはさらなる収縮のいずれかの必要性を示すことがあるまで、センサの数と無関係に永久的な収縮であってもよい。別の実施形態では、または作動可能なセンサはリンパ排出を提供するために間欠ポンプ療法を行うために、収縮と弛緩を反復する脈動運動を行う。後者の実施形態では、２、３個のセンサをポンプ療法に使用する場合に好ましい。
【００６７】
圧迫衣類の設計
本発明のさらに別の態様では、治療効果の監視から獲得された結果に基づいて圧迫衣類を設計するための方法が提供される。個々の患者から獲得された情報から、患者の浮腫を最も効果的なやり方で治療するために必要であり得る、正確な圧迫特徴を有する圧迫衣類を設計することが可能である。例えば監視中に、より大きな圧迫力が身体部の一部の区分に必要であり、身体部の正常な区分にはあまり必要がないことに直面することがある。今日の圧迫衣類、特に圧迫ストッキングは、衣類全体を通して同じ弾性が提供されており、衣類を個別化するための唯一の方法は、衣類の様々な区分の幅を適合させることである。
【００６８】
したがって一態様では、本発明は身体部内の慢性浮腫の維持治療用の圧迫衣類を設計するための方法に関し、該方法は、
上に定義されたような方法により少なくとも２つのセンサ位置のそれぞれに対する身体部の周囲の該複数の測定値を獲得することと、
センサ位置に対応する身体部のそれぞれの区分に対する圧迫要件を決定することと、
決定された圧迫要件に基づいて圧迫ストッキングを設計することとを含む。
【００６９】
圧迫ストッキングは、測定位置に対応する少なくとも２つのストッキングの区分、より好ましくは少なくとも３つのストッキングの区分を有するように設計されてもよい。各ストッキングの区分は、異なる圧迫特徴を有するように設計されてもよい。一例は、足首のすぐ上の圧力を増すことができるストッキングであり、別の例は、ストッキングの上部で圧力を低減することができるストッキング、またはそれらの組合せである。
【００７０】
好ましくは、１つの圧迫衣類の効率を監視することから獲得された情報は、ストッキングの様々な区分における個別の圧迫特徴への必要性を考慮するために、個別化されたストッキングの生産ラインに直接伝達されてもよい。
【００７１】
さらに本発明は、少なくとも第１の区分および第２の区分を備える維持圧迫治療のための圧迫ストッキングに関し、第１の区分における圧迫特徴は上に論じたように第２の区分における圧迫特徴と異なる。
【００７２】
治療計画の決定
さらなる態様では、本発明は治療計画を決定するための方法に関する。方法は、該身体部に包帯を巻き付けるステップと、該包帯を巻いた下、内部または上で該身体部に少なくとも１つのセンサを付けるステップであって、各センサは、該身体部の少なくとも一部の上または周りの１つまたは複数の導電層であって、導電層（複数可）は伸縮自在である、１つまたは複数の導電層と、１つまたは複数の導電層に電気接続される測定ユニットであって、測定ユニットは、１つまたは複数の導電層に関連した電気特性を測定するように構成され、電気特性は身体部の周囲の測定値に関連する、測定ユニットとを備える、センサを付けるステップと、身体部の周囲の複数の測定値を所定の期間登録すること、身体部の動きの複数の測定値を所定の期間登録するステップと、身体部の動きの該複数の測定値から治療計画を決定するステップとを含む。
【００７３】
身体部の動きに基づくように治療計画を決定することにより、個人の挙動のフィードバックが可能であることがある。このようなフィードバックは個人の最適な治療を提供することができる。
【００７４】
一実施形態では、身体部の動きの複数の測定値は加速度計を使用して測定される。加速度計は、例えば個人の身体部に取り付けられてもよい。
【００７５】
別の実施形態では、身体部の動きの複数の測定値は、例えば加速度計の代替としてセンサを使用して測定される。
【００７６】
別の実施形態では、加速度計はセンサと統合される。
【００７７】
好ましい実施形態では、治療計画は個人の活動に関連する。例えば加速度計および／またはセンサからの読取値を使用して個人に最良のものをその個人に通知してもよい。例えば最適な治療は、個人がその後４時間以内に３０分程度サイクリングまたは歩行をする計画をする場合に有効であることを個人に通知してもよい。個人の活動に関連するような通知は、個人の現在の活動および／または記録された活動に基づいてもよい。例えば加速度計および／またはセンサは、個人が就寝などにより活動していない、またはウォーキング、ランニング、もしくはサイクリングなどの活動をしているかどうかを決定するように構成されてもよい。活動に基づいて、個人は個人のタイプに応じて関連付けられてもよい。例えば非常に活動的な人は人１として関連付けられてもよく、非常に非活動的な人は人３として関連付けられてもよい。個人の活動および／またはタイプに基づいて、個人は、その個人に最も適した治療計画を通知されてもよい。これに関して個別化された治療が達成される。
【００７８】
好ましくは、治療計画は、携帯電話、タブレット、またはコンピュータなどの表示装置上で個人に表示される。
【００７９】
ほとんどの態様によれば、センサは身体部に付けられる。これらの態様の最も好ましい実施形態では、少なくとも１つのセンサを該身体部に付けるステップの後、伸びの量が所定量未満である場合に、伸びの不足に関する警告が個人に表示装置上で表示され、伸びの量が所定量を超える場合に、伸びの過剰に関する警告が個人に表示装置上で表示されるように、センサの伸びの量を決定するステップが続く。これによって最も適した治療を提供するセンサが身体部に適正に付けられる。
【００８０】
コンピュータにより実施される方法
また上記の方法は、浮腫の治療を管理するためにコンピュータにより実施される方法として提供されてもよい。したがって上記のいずれの方法でも、方法は、
身体部の周囲の複数の測定値をコンピュータ内に受信するステップであって、該複数の測定値のそれぞれは、身体部の周囲の絶対値または前の値と異なることを表すデルタ値のいずれかである、受信するステップと、
身体部の周囲が所定のカットオフを超えるかどうかを決定するステップと、
表示装置を表示システムに戻すステップであって、表示装置は周囲が所定のカットオフを超えるかどうかを表す、表示装置を表示システムに戻すステップとをさらに含んでもよい。
【００８１】
表示装置は、周囲が所定のカットオフを超える値に変化した場合に、コンピュータ画面上の視覚警報などのあらゆる型の関連情報であってもよい。それによって医師および患者を治療する他の専門家が、注意を必要であり得る患者を特定する役に立ち、良好な患者に時間を費やさない。表示システムは、患者が自身の治療を監視するために患者も同様に利用可能であってもよい。
【００８２】
それによって本発明による方法は、遠隔治療方法にも含まれてもよい。この場合、患者を治療する専門家は、患者から離れて位置し、少なくとも初期情報は自動情報と患者とのデジタル通信の組合せを電話により、コンピュータを通して、またはイーメールとして提供される。
【００８３】
センサ
本発明によるセンサは、
該身体部の少なくとも一部の上または周りの１つまたは複数の導電層であって、導電層（複数可）は伸縮自在である、１つまたは複数の導電層と、
１つまたは複数の導電層に電気接続される測定ユニットであって、測定ユニットは、１つまたは複数の導電層に関連した電気特性を測定するように構成され、電気特性は身体部の周囲の測定値に関連する、測定ユニットとを備える。
【００８４】
好ましくは、センサは身体部の周りおよび／もしくは上、ならびに／または身体部と接触する第２の弾性支持材料上に置くように構成された第１の弾性支持材料を備える。好ましくは、１つまたは複数の導電層は該第１の弾性支持材料と接触する。
【００８５】
導電層（複数可）
１つまたは複数の導電層は、１０−２Ωｃｍ未満、例えば１０−４Ωｃｍ未満である抵抗率を有する材料から作成されてもよい。
【００８６】
好ましくは、１つまたは複数の導電層は、金属または導電性合金、例えば銀、金、ニッケルの群から選択された金属から作成されてもよい。別法として他の適切な金属または導電性合金が選択されてもよい。
【００８７】
１つまたは複数の導電層は、例えばニッケルでメッキされた炭素スクリムを有する導電性アクリルから作成されたような電気テープであってもよい。テープは接着性であってもよい。
【００８８】
１つまたは複数の導電層は、０．０１μｍ〜０．１μｍの範囲内、例えば０．０２μｍ〜０．１μｍの範囲内、例えば０．０８μｍ〜０．１μｍの範囲内の厚さを有してもよい。
【００８９】
第１の導体は、第１の接続点において１つまたは複数の導電層に取り付けられてもよい。導体は従来のワイヤまたはケーブルのような細長い本体として形成されてもよい。別の実施形態では、導体は円形、長円形、または電極と電気通信を確立するのに適した別の形状であるポーチとして形成されてもよい。導体は、導体の長さが変化してもよいように非常に弾性的に変形可能であってもよく、または導体は少なくとも柔軟に曲げられてもよい。
【００９０】
１つまたは複数の導電層は、弛緩した状態で弾性支持部の長さに対して９０％未満、例えば７５％未満、例えば６０％未満、例えば５０％未満、例えば４０％未満、例えば３０％未満、例えば２０％未満、または例えば１０％未満の導電層の長さを有してもよい。これは導電層の長さの費用を低減することができ、依然として身体部の周囲の測定値を提供する。
【００９１】
１つまたは複数の導電層は、弛緩した状態で２ｃｍ〜８５ｃｍの導電層の長さを有してもよい。
【００９２】
１つまたは複数の導電層は、弛緩した状態で、また縦軸に沿って、２ｍｍ〜８０ｍｍ、または２ｃｍ〜１５ｃｍの導電層の幅を有してもよい。
【００９３】
１つまたは複数の導電層は、その弛緩した状態に対して少なくとも２０％伸びることができる導電層の長さを有してもよい。
【００９４】
１つまたは複数の導電層は、第１の弾性支持材料と同程度に伸びることが可能であってもよい。
【００９５】
１つまたは複数の導電層は、第１の弾性支持材料が身体部の周りおよび／もしくは上、ならびに／または身体部と接触する第２の弾性支持材料上に置かれると、導電層の長さがその弛緩した状態に対して少なくとも２０％予め伸びるように、身体部によって画定される導電層の長さを有してもよい。
【００９６】
デバイスの一実施形態では、１つまたは複数の導電層は、縦軸に沿って互いから分離される。
【００９７】
デバイスの別の実施形態では、１つまたは複数の導電層は、長手方向軸に沿って互いから分離され、具体的には１つまたは複数の導電層は、該導電層の２つの間に伸縮自在のフィルムを有することにより横方向軸に沿って互いから分離されてもよい。伸縮自在のフィルムは、電気特性が伸縮自在のフィルムの静電容量であることを画定する。伸縮自在のフィルムの静電容量は、その上に２つの導電層の重複部分が存在する面積に比例し、２つの導電層の間の距離に反比例する、すなわち伸縮自在のフィルムの厚さに反比例する。したがって静電容量は導電層の長さにも比例する。それゆえ、導電層が長いほど、静電容量は大きい。したがって腫れることにより、長さおよびそれによって周囲が増加し、したがって静電容量が増加する。
【００９８】
別法としておよび／または追加として、電気特性は導電層（複数可）の抵抗率である。抵抗率は導電層の長さに比例し、導電層の断面積、すなわち導電層の厚さおよび幅に反比例する。それゆえ、導電層が長いほど静電容量は大きい。したがって腫れることにより、長さおよびそれによって周囲が増加し、したがって抵抗率が増加する。
【００９９】
１つまたは複数の導電層が伸びると、それに関連した静電容量と抵抗率との差は、静電容量が伸縮自在のフィルムの厚さの変化によって影響を受けるのに対して、抵抗率は１つまたは複数の導電層の厚さの変化によって影響を受ける。
【０１００】
しかし１つまたは複数の導電層および伸縮自在のフィルムの厚さが同じやり方で変形され得る場合、長さに比例する測定の方法に差がないことがある。一方、伸縮自在のフィルムは、１つまたは複数の導電層と異なるやり方で変形するように選択されてもよく、それによって抵抗率の測定に比べて静電容量を測定する際に利点を提供するのは、具体的には静電容量は１つまたは複数の導電層の長さの変形に依存してほぼ直線的に行うことができるからである。伸縮自在のフィルムのいくつかの特徴は以下の章に記載される。
【０１０１】
２層間に伸縮自在のフィルムを使用し、静電容量を測定することにより、具体的には伸縮自在のフィルムが高分子であるときに、誘電性電気活性高分子（ＥＡＰ）構造を提供するための手段が提供される。
【０１０２】
本発明の一実施形態では、伸縮自在のフィルムは、１０１０Ωｃｍを超える抵抗率を有する材料から作成されてもよい高分子である。
【０１０３】
好ましくは、誘電材料の抵抗率は導電層の抵抗率よりはるかに高く、好ましくは少なくとも１０１４〜１０１８倍高い。
【０１０４】
フィルム構造は、積層構造を形成するために互いの上に接着接合された、または単に積み重ねられた、いずれかのあらゆる数の層の弾性的に変形可能な高分子フィルム、例えば１、２、３、４、または５層の弾性的に変形可能なフィルムを備えてもよい。弾性的に変形可能なフィルムは、具体的には誘電材料から作成されてもよく、誘電材料は本明細書では、２以上の比誘電率を有する材料などの電流を伝導することなく電界を維持できるあらゆる材料を網羅すると考えられる。誘電材料は、高分子、例えば弱い粘着性シリコンなどのシリコンエラストマなどのエラストマ、または概して弾性的変形に関する特徴と同じエラストマを有する材料であることが可能である。例えば３つはすべてＷａｃｋｅｒ  Ｃｈｅｍｉｃ製であるＥｌａｓｔｏｓｉｌ  ＲＴ６２５、Ｅｌａｓｔｏｓｉｌ  ＲＴ６２２、Ｅｌａｓｔｏｓｉｌ  ＲＴ６０１は、誘電材料として使用することができる。
【０１０５】
本概念では、用語「誘電材料」は、これに限定されないが具体的には、２以上の比誘電率を有する材料を意味すると解釈されるべきである。
【０１０６】
エラストマではない誘電材料を使用する場合、誘電材料は、例えば弾性に関してエラストマのような特性を有するべきであることに留意するべきである。したがって誘電材料は、合成物を誘電材料の変形に起因して偏向させることができ、それによって押し／引くことができるほどに変形可能であるべきである。
【０１０７】
フィルムは１０μｍ〜２００μｍ、例えば２０μｍ〜１５０μｍ、例えば３０μｍ〜１００μｍ、例えば４０μｍ〜８０μｍの厚さを有してもよい。
【０１０８】
２つの導電層の設定に関して、第１の導体は第１の接続点において第１の導電層に取り付けられてもよく、第２の導体は第２の接続点において第２の導電層に取り付けられてもよい。導体は従来のワイヤまたはケーブルのような細長い本体として形成されてもよい。別の実施形態では、導体は円形、長円形、または電極の一方と電気通信を確立するのに適した別の形状であるポーチとして形成されてもよい。
【０１０９】
記載されたような伸縮自在のフィルム、具体的には誘電性電気活性高分子を有することによって、１つまたは複数の導電層はアクチュエータとして構成されることが明らかである。次いで高分子を圧搾する２つの電極の間の静電力により作動が引き起こされる。誘電エラストマは非常に高い歪みが可能であり、基本的に電圧が加えられたときに、高分子が厚さを圧迫し、電界に起因して面積が拡張できることにより、その静電容量を変えるコンデンサである。
【０１１０】
したがって伸縮自在のフィルムを使用することにより、人工筋肉として働くことができるデバイスが提供される。
【０１１１】
弾性支持材料
一実施形態では、第１の弾性支持材料は、身体部の皮膚に取り付けられるように構成される。第１の弾性支持材料は、例えば綿、アクリル繊維を備え、通気性があり、防水性であってもよい。
【０１１２】
最も好ましい実施形態では、第１の弾性支持材料はポリウレタン繊維、例えばエラスティンから構成される。
【０１１３】
他の最も好ましい実施形態では、第１の弾性支持材料は、その摩擦係数によって画定される滑面で構成され、滑面と鋼鉄面との間の摩擦係数は０．２〜０．４である。
【０１１４】
摩擦係数は、標準摩擦試験を使用して、例えば日本繊維機械学会の風合い計量と規格化研究委員会によって開発されたシステムである、ＫＥＳシステムとして公知の市販システムを使用して測定されてもよい。具体的には、摩擦係数はＫＥＳ−ＦＢ４を使用して測定されてもよい。
【０１１５】
摩擦係数は、温度および湿度を含む多くの要因に依存する。したがって本明細書に言及されたような摩擦係数は、相対湿度が６５±２％および温度が２２±１℃に条件付けられた織物であってもよい。
【０１１６】
摩擦試験は試験材料上にプローブを一定力で摺動させるものであってもよく、それによって摩擦係数曲線が垂直抗力に対する（プローブに取り付けられた）変換器に登録された力の割合によって与えられる。したがって摩擦係数の平均値は曲線の平均高さである。
【０１１７】
したがって本明細書に言及されたような摩擦係数は、運動摩擦係数と呼ばれることがある。さらに本明細書に言及されたような摩擦係数は、平均運動摩擦係数と呼ばれることがある。
【０１１８】
また摩擦係数はプローブ材料にも依存することが明らかである。標準化された測定に対して、プローブは鋼鉄で作製される。
【０１１９】
しかし例えば測定プローブを多分力センサで皮膚の一部の上を擦ることによって、皮膚上の織物の摩擦係数の測定を提供できることがあり、それによって摩擦係数を決定するために垂直抗力および接線力を測定することができる。身体の異なる部分、すなわち身体の異なる皮膚の部分は、織物の摩擦係数の測定結果が変わることがわかっている。さらに皮膚の上で測定したときの摩擦係数は皮膚のタイプに大きく依存し、人によって様々であるので、標準測定の提供を困難にさせる。
【０１２０】
この理由から、摩擦係数を画定するために使用されるような鋼鉄のプローブは、摩擦係数に対して標準測定が可能である。
【０１２１】
本明細書に説明されたように、第１の弾性支持材料は、患者と接触する可能性があるデバイスの層であり得るので、皮膚と接触することがある。
【０１２２】
その摩擦係数によって画定される滑面で構成された第１の弾性支持材料を有することにより（滑面と鋼鉄面との間の摩擦係数は０．２〜０．４である）、デバイスの配置を身体部上で変えないように、デバイスを皮膚の上に置くことができることを本発明者らは発見した。さらに上に定義されたように０．２〜０．４の摩擦係数では、第１の弾性支持材料を例えば身体部に接着しないことによりしわが寄ることなく、身体部に容易に適応する接触面をデバイスが画定するようにデバイスを皮膚の上に置くことができる。
【０１２３】
本明細書に説明されたように、第１の弾性支持材料は、包帯などの第２の弾性材料と接触してもよい。
【０１２４】
その摩擦係数によって画定される滑面で構成された第１の弾性支持材料を有することにより（滑面と鋼鉄面との間の摩擦係数は０．２〜０．４である）、弾性支持材料を例えば包帯などの第２の弾性支持材料に接着しないことによりしわが寄ることなく、デバイスを身体部に適応させることができることを本発明者らは発見した。
【０１２５】
換言すると、上に定義されたように０．２〜０．４の摩擦係数は、第１の弾性支持材料が身体部または第２の弾性支持材料に接着しないように、第１の弾性支持材料の表面を身体部に適応できるために選択される。この具体的な摩擦係数は最適値を提供することを本発明者らは発見した。値がより低かった場合、デバイスを誤った場所に置いたはずである。値がより高かった場合は、デバイスにしわが寄ったはずである。したがって上に定義されたように０．２〜０．４の摩擦係数は、身体部の周囲の非常に正確な測定を促進することを本発明者らは発見した。
【０１２６】
第２の実施形態では、弛緩した状態における第１の弾性支持材料の長さは、１５ｃｍ〜８５ｃｍである。それによって第１の弾性支持材料は様々な大きさの様々な身体部に適合するように構成されるはずである。
【０１２７】
第３の実施形態では、第１の弾性支持材料は身体の周りに適合するように構成された円帯である。円帯は本発明によるデバイスから、例えば第１の弾性支持材料の２つの端部を縫い合わせることにより作成されてもよい。換言すると、第１の弾性支持材料または少なくともその一部は円帯を形成するために縫うことができ得る。
【０１２８】
一部の実施形態では、第１の弾性支持材料または少なくともその一部は接着可能である。このような実施形態は、デバイスに取り付けられる送信ユニットを提供してもよい。
【０１２９】
最も好ましくは、キットは複数のデバイスを備え、それぞれのデバイスは本発明の第１の態様による身体部の周囲の測定値を提供するように構成される。複数のデバイスは、４つのデバイスまでであってもよく、それぞれのデバイスは第１の弾性支持材料がまさに記載されたように円形であるように構成され、それぞれのデバイスは異なる第１の弾性支持材料の長さをもつ。このようにして１つの周囲を有する第１のデバイスは、第１の周囲間隔をもつ腫れた脚を有する一部の患者に適合することがある一方で、第２の周囲を有する別のデバイスは、第２の周囲間隔を有する他の患者に適合することがある。第２の周囲は、例えば第１の周囲間隔より大きくてもよい。これに関連して、第２のデバイスを有する患者の腫れがひいた場合は、その患者は第１のデバイスに適合できることがあり、それによってより効率的な測定および／または治療を達成することもある。
【０１３０】
また先に記載されたように、弾性支持部の幅は、弛緩した状態で１ｃｍ〜１５ｃｍであってもよい。
【０１３１】
第１の弾性支持材料の長さは、その弛緩した状態に対して少なくとも２０％伸びることができる。この実施形態では、まず第１に例えば第１の弾性支持層が、またそれによって１つまたは複数の導電層もほぼ弛緩した状態であるように、第１の弾性支持材料が身体部に取り付けられた場合、周囲は少なくとも２０％増加することができる周囲の測定が提供される。第２に、例えば１つまたは複数の導電層が第１の弾性支持材料を身体部および／または第２の弾性支持材料上に置く工程で少なくとも２０％まで予め伸びている場合に、第１の弾性支持材料が身体部および／または第２の弾性支持材料の周りに置かれた後、周囲が低減することが可能である周囲の測定が提供される。
【０１３２】
好ましい実施形態では、第１の弾性支持材料の長さは、その弛緩した状態に対して２５０％まで、例えば４０％まで、例えば６０％まで、例えば８０％まで、例えば１００％まで、例えば１２０％まで、例えば１５０％まで、または例えば２００％まで延びることができる。
【０１３３】
最も好ましい実施形態では、第１の弾性支持材料は１つまたは複数の導電層と同程度に伸びることができる。
【０１３４】
追加層
一実施形態では、１つまたは複数の導電層の上および／または下に配置された少なくとも１つの追加層が提供され、この少なくとも１つの追加層は弾性であり、また少なくとも１つの追加層は第１の弾性支持材料と接触するように構成され、それによって１つまたは複数の導電層を第１の弾性支持材料と少なくとも１つの追加層との間にカプセル化し、そのため１つまたは複数の導電層の少なくとも一部が、第１の弾性支持材料に対して、かつ／または少なくとも１つの追加層に対して動くことができる。好ましくは少なくとも１つの追加層は、第１の弾性支持材料と同一である。
【０１３５】
さらに別の実施形態では、少なくとも１つの追加層は、弛緩した状態で縦軸に沿って１ｃｍ〜１５ｃｍの追加層の幅を有する。
【０１３６】
好ましい実施形態では、少なくとも１つの追加層は、第１の弾性支持材料と同程度に伸びることができる。
【０１３７】
測定ユニット
先に記載されたように一実施形態では、例えば伸びることに起因する高分子フィルムにおける変形により、フィルム構造の対向する表面上に配置された２つの導電層の間の距離が変わる。これにより静電容量が変わり、したがって測定ユニットを使用することによって変形を測定することができる。
【０１３８】
デバイスの別の実施形態では、測定ユニットは、１つまたは複数の導電層に関連した電気特性を測定するようにさらに構成され、電気特性は温度および／または湿度に関する。例えばこれは、抵抗率が例えば温度に依存することが公知であるように、単一の導電層の抵抗率を測定することによって達成させることができる。
【０１３９】
代替または追加の実施形態では、デバイスは温度および／または湿度を測定するためにセンサをさらに備える。
【０１４０】
別の代替または追加の実施形態では、デバイスは、例えばデバイスを着用している人の活動を監視することができるために加速度計をさらに備える。
【０１４１】
好ましくは、測定ユニットは第１の弾性支持材料に取り付けられてもよい。
【０１４２】
しかし一部の実施形態では、測定ユニットは、例えば１つまたは複数の導電層に連結されたワイヤを使用して、第１の弾性支持材料から切り離されてもよい。
【０１４３】
送信ユニット、受信ユニットおよび制御ユニット
一実施形態では、方法は、身体部の周囲の測定値を受信ユニットに送信するように構成された送信ユニットをさらに備える。受信ユニットは、身体部の周囲の測定値をもつデータを無線通信により、かつ／または有線通信により受信してもよい。
【０１４４】
一部の実施形態では、受信ユニットはデータ記憶ユニットを備えてもよい。一実施形態では、データ記憶ユニットは、ハードドライブ、例えば半導体ドライブなどのポータブルドライブ、または有線通信の場合に例えばＵＳＢを介して連結された光学ドライブである。
【０１４５】
またデバイスの好ましい実施形態では、データ記憶ユニットは第１の弾性支持部に取り外し可能に取り付けられてもよい。これはデバイスの統合的解決策であるが、第１の弾性支持材料からデータ記憶ユニットを取ることが可能であり得、それによってデータ記憶ユニットを外部データアクセスユニット、例えばコンピュータまたは携帯用デバイスに差し込み、それによってデータ記憶ユニット上のデータにアクセスする解決策を促進してもよい。
【０１４６】
デバイスの一部の実施形態では、送信ユニットおよび／または測定ユニットおよび／または受信ユニットは１つのユニットに統合される。
【０１４７】
別の好ましい実施形態では、受信ユニットは第１の弾性支持材料から切り離される。これは、デバイスが包帯の下に置かれた場合、または単に受信ユニットが取り外し可能に取り付けられたユニットである必要がない場合に、重要な例であることがある。例えば受信ユニットがコンピュータ、サーバまたは携帯用デバイスであってもよい。これらのあらゆる受信ユニットにアクセスすることにより、身体部の周囲の測定値をもつデータにアクセスすることができる。
【０１４８】
最も好ましい実施形態では、方法は、例えば送信ユニットから直接身体部の周囲の測定値を受信することにより、長手方向軸に沿って１つまたは複数の導電層の長さを制御するように構成された制御ユニットをさらに備える。１つまたは複数の導電層はアクチュエータとして構成されてもよいので、制御装置が例えば身体部の周囲の測定値に基づいて入力を受信したときにその長さを短縮するように、制御ユニットが電気信号を１つまたは複数の導電層に送信してもよい。したがって制御ユニットを有することにより、本発明は、測定ユニットからの出力に基づいた命令を受信したときに、第１の弾性支持材料を身体部にさらに締め付けることに基づくフィードバック機構、すなわち治療を提供する。換言すると本発明は、例えば包帯および／または圧迫衣類などの自動的に自己適合可能な支持材料を提供してもよい。
【０１４９】
例示
例１−本発明による方法に適切なデバイス
図１は、本発明の様々な態様による測定値を提供するのに適切なデバイスの一例を示し、ここではデバイスは、身体部の周りおよび／または上に置くように構成された第１の弾性支持材料１を備えることが見られ、第１の弾性支持材料は長手方向軸２を画定する第１の弾性支持材料の長さを有し、第１の弾性支持材料の幅は縦軸３を画定する。長手方向軸の少なくとも一部に沿って、かつ／または縦軸の少なくとも一部に沿って第１の弾性支持材料の少なくとも一部に接触する１つまたは複数の導電層が存在する（層（複数可）は第１の弾性支持材料の下にあるので見えない）。加えて１つまたは複数の導電層と接触する、すなわち第１の弾性支持材料の下に１つの追加層が存在し、少なくとも１つの追加層は弾性であり、少なくとも１つの追加層は１つまたは複数の導電層に湿潤が移動しないように構成される。したがって１つまたは複数の導電層は２層の間に埋め込まれているので、１つまたは複数の導電層は見えない。測定ユニットを１つまたは複数の導電層に電気接続することができ、この場合測定ユニットは、１つまたは複数の導電層への有線接続４を使用して第１の弾性支持材料１から切り離される。測定ユニット（ここでは見えない）は、１つまたは複数の導電層に関連した電気特性を測定するように構成され、電子特性は身体部の周囲の測定値に関連する。さらに第１の弾性支持部の幅は、縦軸３を画定し、弛緩した状態で約５ｃｍである。第１の弾性支持材料は、両端を互いに取り付けることができるように（ここでは取り付け手段は両側面上にあるので、１端部内の取り付け手段のみが見える）、長手方向軸の両端に取り付け手段５を有することにより、身体部の周りおよび／または上に置くように構成される。
【０１５０】
例２−所定の期間の測定値の提供
例１に実証したようなデバイスは、深刻な脚の浮腫を患っている患者に付けられた。２つのデバイスは、図２ａおよび図２ｂにおいて測定のときに見られるように、約１２時間の期間の間に位置ＢおよびＣで圧迫包帯の下で脚の周りに付けられた。
【０１５１】
この例では、電気特性は静電容量であり、１２時間で腫れが低減するにつれて細くなる脚に応じて静電容量が低減することがわかる。したがって静電容量、すなわち電気特性は身体部、この例では脚の周囲の測定値に関連することができる。夜間、すなわち２２：１５〜５：００に脚は上がっており、患者が横になっているために脚は実際に細くなっていることに気付くことができる。夜間に静電容量は約６ｎＦから５．５ｎＦに下がる。周囲の対応する低減は５９ｃｍから５３ｃｍであった。図２ａおよび２ｂにおけるグラフは、初めは５〜１０分毎の測定、次いで座位から遅い歩行への変化などの変化毎に対する測定を示す。包帯のあらゆる変化、動き、または就寝中に脚を水平位置にすることにより、腫れは著しく低減し、それによって脚の周囲が著しく低減することは明らかであり、これは監視する方法によって記録される。また治療が効率的ではなく、包帯を巻き直してから約３時間後に著しく新たに腫れが低減し、適度な低減のみが位置Ｃに見られる前に新しい包帯が必要であるときも明らかである。また２つのセンサを使用することにより、より多くの情報が治療効果について提供され得ることも明らかである。
【０１５２】
例３−測定ユニットからの第２の測定
図３Ａは、本発明の第１の態様によるデバイスの測定ユニットを使用して２４時間の期間の間に測定された電気特性の一例を示す。
【０１５３】
図３Ｂは、２４時間の期間の間の活動記録の一例を示し、２５時間は図３Ａの２４時間と同一である。
【０１５４】
図３Ｃは、温度を測定するためのセンサを使用して２４時間の期間の間に測定された温度の一例を示し、２５時間は図３Ａの２４時間と同一である。
【０１５５】
デバイスは、午前８：００前後の開始から脚の周りに置かれた。この例では、電気特性は静電容量であり、８：００〜０：００の期間に腫れが低減するにつれて脚が細くなるのに応じて静電容量は低減することが見られる。したがって静電容量、すなわち電気特性は、身体部、この場合は脚の周囲の測定値に関連することが可能である。この例では、周囲は１晩で約３．７ｃｍ低減する。
【０１５６】
同じ期間に、デバイスを着用する患者は測定期間に患者の活動を記録するように言われている。この例では、記録は手動でなされる。しかし一部の実施形態では、デバイスは、デバイスを着用している患者の活動を自動的に記録するように構成された加速度計を備える。
【０１５７】
また同じ期間に、患者の脚の温度は図３Ｃに示されたように測定されている。温度は、患者の活動および／または脚の炎症の表示に関連してもよい。
【０１５８】
例４−測定ユニットからのさらなる測定
図４〜図８は図３に示されたような測定と同様のさらなる測定を示す。図３〜図８は、デバイスが個人に５夜を含む５日間付けたことを実証する。５夜にわたって、身体部、この例では脚の周囲は、６．３ｃｍだけ低減した。図３〜図８から見られるように、脚は夜間に周囲が低減し、昼間に周囲が増加する。
【０１５９】
第１夜に周囲は５７ｃｍから５３．３ｃｍに低減する。第２夜に周囲は５２．４ｃｍに低減する。第３夜に周囲は５２．１ｃｍに低減する。第４夜に周囲は５１．６ｃｍに低減し、その後新しい包帯を付ける。第５夜に周囲は５０．７ｃｍに低減する。
【０１６０】
提供されたように本発明は、身体部の周囲を測定することができる。図３〜図８に示された測定に関する場合については、包帯を変える必要があるとき、例えば示されたように包帯がもはやその特定の周囲に最適ではないことを示す、脚の周囲が５ｃｍを超えて低減したときを決定するために測定を使用することができる。示されたように、これはすでに４夜の後に起こった。本発明は、腫れた脚をより効率的に治療するデバイスおよび方法を提供する。さらに実験結果は、腫れのひきが直線ではないことを実証している。しかし周囲は数日の昼夜にわたって効率的に低減するように、昼間に脚は腫れ、夜間に腫れがひく。本発明は、このようにして以前できなかったような腫れた脚の治療への洞察を提供した。したがって本明細書に開示されたのは新規のデバイスだけではない。新規の治療も本明細書に記載されたようにデバイスの使用によって達成される。
【０１６１】
例５−デバイスの別の実施形態
図９は、本発明の第１の態様によるデバイスの別の例を示し、ここではデバイスが、身体部の周りおよび／または上に置くように構成された第１の弾性支持材料１を備えることが見られ、第１の弾性支持材料は長手方向軸２（軸はここでは示されていない）を画定する第１の弾性支持材料の長さを有し、第１の弾性支持材料の幅は縦軸３（軸はここでは示されていない）を画定する。２つの弾性層の間にカプセル化された１つまたは複数の導電層が存在する。したがって１つまたは複数の導電層は２層の間にあるように見えない。測定ユニットは、１つまたは複数の導電層に電気接続することができ、この場合測定ユニットは、１つまたは複数の導電層への有線連結４を使用して第１の弾性支持材料１から切り離される。ここでは示されていない測定ユニットは、１つまたは複数の導電層に関連した電気特性を測定するように構成され、電気特性は身体部の周囲の測定値に関連する。この例では、第１の弾性支持材料１は、一旦第１の弾性支持材料が身体部の周りおよび／または上に置かれると、第１の弾性支持材料が適所に留まるように、ポリウレタン繊維から作成された材料（第１の弾性支持材料はポリウレタン繊維から作成されている）と同様の粗度に適合した表面生地を備える。さらに縦軸３を画定する第１の弾性支持幅は、弛緩した状態で約１．５ｃｍである。第１の弾性支持材料は、両端を互いに取り付けることができるように、長手方向軸の両端に取り付け手段５を有することにより、身体部の周りおよび／または上に置くように構成される。
【０１６２】
例６−測定ユニットを備えたデバイスの別の実施形態
図１０は、今は測定ユニット６を含む、本発明の第１の態様によるデバイスの別の例を示し、ここではデバイスは、身体部の周りおよび／または上に置くように構成された第１の弾性支持材料１を備えることが見られ、第１の弾性支持材料は長手方向軸（２）（軸はここでは示されていない）を画定する第１の弾性支持材料の長さを有し、第１の弾性支持材料の幅は縦軸３（軸はここでは示されていない）を画定する。２つの弾性層の間にカプセル化された１つまたは複数の導電層が存在する。したがって１つまたは複数の導電層は２層の間にあるように見えない。測定ユニットは、１つまたは複数の導電層に電気接続することができ、この場合測定ユニットは、１つまたは複数の導電層への有線連結４を使用して第１の弾性支持材料１から切り離される。ここでは示されていない測定ユニット６は、１つまたは複数の導電層に関連した電気特性を測定するように構成され、電気特性は身体部の周囲の測定値に関連する。この例では、第１の弾性支持材料１は、一旦第１の弾性支持材料が身体部の周りおよび／または上に置かれると、第１の弾性支持材料が適所に留まるように、ポリウレタン繊維から作成された材料（第１の弾性支持材料はポリウレタン繊維から作成されている）と同様の粗度に適合した表面生地を備える。さらに縦軸３を画定する第１の弾性支持部の幅は、弛緩した状態で約１．５ｃｍである。第１の弾性支持材料は、両端を互いに取り付けることができるように、長手方向軸の両端に取り付け手段５を有することにより、身体部の周りおよび／または上に置くように構成される。
【図１】
2019509147.tif 000003
【図２】
2019509147.tif 000004
【図３Ａ】
2019509147.tif 000005
【図３Ｂ】
2019509147.tif 000006
【図３Ｃ】
2019509147.tif 000007
【図４Ａ】
2019509147.tif 000008
【図４Ｂ】
2019509147.tif 000009
【図４Ｃ】
2019509147.tif 000010
【図５Ａ】
2019509147.tif 000011
【図５Ｂ】
2019509147.tif 000012
【図５Ｃ】
2019509147.tif 000013
【図６Ａ】
2019509147.tif 000014
【図６Ｂ】
2019509147.tif 000015
【図６Ｃ】
2019509147.tif 000016
【図７Ａ】
2019509147.tif 000017
【図７Ｂ】
2019509147.tif 000018
【図７Ｃ】
2019509147.tif 000019
【図８Ａ】
2019509147.tif 000020
【図８Ｂ】
2019509147.tif 000021
【図８Ｃ】
2019509147.tif 000022
【図９】
2019509147.tif 000023
【図１０】
2019509147.tif 000024
【手続補正書】
【提出日】平成30年3月20日(2018.3.20)
【手続補正１】
【補正対象書類名】特許請求の範囲
【補正対象項目名】全文
【補正方法】変更
【補正の内容】
【特許請求の範囲】
【請求項１】
圧迫包帯の効果を決定するための方法であって、
身体部上に前記圧迫包帯を有することであって、前記包帯は前記包帯を巻いた下、内部または上に少なくとも１つのセンサを備え、各センサは、
前記身体部の少なくとも一部の上または周りの１つまたは複数の導電層であって、前記導電層（複数可）は伸縮自在である、１つまたは複数の導電層と、
前記１つまたは複数の導電層に電気接続される測定ユニットであって、前記測定ユニットは、前記１つまたは複数の導電層に関連した電気特性を測定するように構成され、前記電気特性は前記身体部の周囲の測定値に関連し、前記電気特性は静電容量であり、前記静電容量は前記１つまたは複数の導電層の長さに比例する、測定ユニットと
を備える、圧迫包帯を有することと、
前記身体部の周囲の複数の測定値を所定の期間登録することと、
前記身体部の周囲が所定のカットオフ値より低減した、かつ／または前記身体部の周囲の前記低減が前記所定の期間の後に所定のカットオフ値を超えたときに、前記圧迫包帯が効率的であることを決定することと
を含む、方法。
【請求項２】
前記所定の期間は少なくとも１２時間、例えば少なくとも２４時間、例えば少なくとも２日、例えば少なくとも３日である、請求項１に記載の方法。
【請求項３】
前記低減に対する前記カットオフは少なくとも０．５〜３．０ｃｍである、請求項１または２のいずれか１項に記載の方法。
【請求項４】
少なくとも２つのセンサ、例えば少なくとも３つのセンサが付けられる、請求項１〜３のいずれか１項に記載の方法。
【請求項５】
前記センサは、前記身体部の周りおよび／もしくは上、ならびに／または前記身体部と接触する第２の弾性支持材料上に置くように構成された第１の弾性支持材料を備え、前記第１の弾性支持材料は長手方向軸を画定する第１の弾性支持材料の長さ、水平方向を画定する第１の弾性支持材料の幅、および横方向軸を画定する第１の弾性支持材料の厚さを有する、請求項１〜４のいずれか１項に記載の方法。
【請求項６】
前記１つまたは複数の導電層は、前記長手方向の少なくとも一部に沿って、および／または前記水平方向の少なくとも一部に沿って前記第１の弾性支持材料の少なくとも一部と接触する、請求項１〜５のいずれか１項に記載の方法。
【請求項７】
前記１つまたは複数の導電層は、その弛緩した状態に対して少なくとも２０％伸びることができる導電層の長さを有する、請求項１〜６のいずれか１項に記載の方法。
【請求項８】
前記身体部は脚もしくはその一部、足もしくはその一部、腕もしくはその一部、および／または手もしくはその一部、胴ならびに／または頭である、請求項１〜７のいずれか１項に記載の方法。
【請求項９】
前記身体部の周囲の測定値を受信ユニットに送信するように構成された送信ユニットをさらに備える、請求項１〜８のいずれか１項に記載の方法。
【請求項１０】
前記受信ユニットはデータ記憶ユニットを備える、請求項９に記載の方法。
【請求項１１】
前記送信ユニットは前記第１の弾性支持部に取り付けられる、請求項９〜１０のいずれか１項に記載の方法。
【請求項１２】
前記送信ユニットは前記第１の弾性支持部から切り離される、請求項９〜１０のいずれか１項に記載の方法。
【請求項１３】
前記送信ユニット、前記測定ユニットおよび／または前記受信ユニットから選択された前記ユニットの少なくとも２つは、１つのユニットに統合される、請求項９〜１２のいずれか１項に記載の方法。
【請求項１４】
前記データ記憶ユニットはコンピュータ、サーバまたは携帯用デバイスである、請求項９〜１３のいずれか１項に記載の方法。
【請求項１５】
前記受信ユニットは、前記１つまたは複数の導電層に電気信号を送信することにより、前記１つまたは複数の導電層の幅を長手方向に沿って制御するように構成された制御ユニットを備える、請求項１０〜１４のいずれか１項に記載の方法。
【請求項１６】
前記第２の弾性材料は包帯および／または圧迫衣類である、請求項１〜１５のいずれか１項に記載の方法。
【請求項１７】
前記デバイスは、前記１つまたは複数の導電層から、または前記第１の弾性支持材料から、前記長手方向に沿って、および／または前記水平方向に沿って延在する１つまたは複数の非弾性支持材料（複数可）をさらに備える、請求項１〜１６のいずれか１項に記載の方法。
【請求項１８】
前記デバイスは、両端を互いに取り付けることができるように、前記長手方向軸の両端に取り付け手段を備える、請求項１〜１７のいずれか１項に記載の方法。
【請求項１９】
前記第１の弾性支持材料は、前記身体部の皮膚に取り付けられるように構成される、請求項１〜１８のいずれか１項に記載の方法。
【請求項２０】
前記第１の弾性支持材料は、包帯または圧迫衣類である、請求項１〜１９のいずれか１項に記載の方法。
【請求項２１】
前記第１の弾性支持材料の長さは、弛緩した状態で１５ｃｍ〜８５ｃｍである、請求項１〜２０のいずれか１項に記載の方法。
【請求項２２】
前記弾性支持部の幅は、１ｃｍ〜１５ｃｍ、例えば２〜１０ｃｍである、請求項１〜２１のいずれか１項に記載の方法。
【請求項２３】
前記第１の弾性支持材料の長さは、その弛緩した状態に対して少なくとも２０％伸びることができる、請求項１〜２２のいずれか１項に記載の方法。
【請求項２４】
前記第１の弾性支持材料の長さは、その弛緩した状態に対して２５０％まで伸びることができる、請求項１〜２３のいずれか１項に記載の方法。
【請求項２５】
前記第１の弾性支持材料は、前記１つまたは複数の導電層と同程度に伸びることができる、請求項１〜２４のいずれか１項に記載の方法。
【請求項２６】
前記１つまたは複数の導電層は、弛緩した状態で前記弾性支持部の長さに対して９０％未満、例えば７５％未満、例えば６０％未満、例えば５０％未満、例えば４０％未満、例えば３０％未満、例えば２０％未満、または例えば１０％未満の導電層の長さを有する、請求項１〜２５のいずれか１項に記載の方法。
【請求項２７】
前記１つまたは複数の導電層は、弛緩した状態で２ｃｍ〜８５ｃｍの導電層の長さを有する、請求項１〜２６のいずれか１項に記載の方法。
【請求項２８】
前記１つまたは複数の導電層は、弛緩した状態で１ｃｍ〜１５ｃｍ、例えば２〜１０ｃｍの導電層の幅を有する、請求項１〜２７のいずれか１項に記載の方法。
【請求項２９】
前記１つまたは複数の導電層は、その弛緩した状態に対して少なくとも２０％伸びることができる導電層の長さを有する、請求項１〜２８のいずれか１項に記載の方法。
【請求項３０】
前記１つまたは複数の導電層は、前記第１の弾性支持材料と同程度に伸びることができる、請求項１〜２９のいずれか１項に記載の方法。
【請求項３１】
前記１つまたは複数の導電層は、前記第１の弾性支持材料が前記身体部の周りおよび／もしくは上、ならびに／または前記身体部と接触する第２の弾性支持材料上に置かれると、前記導電層の長さがその弛緩した状態に対して少なくとも２０％予め伸びるように、前記身体部によって画定される導電層の長さを有する、請求項１〜３０のいずれか１項に記載の方法。
【請求項３２】
前記１つまたは複数の導電層は、前記水平方向に沿って互いから分離される、請求項１〜３１のいずれか１項に記載の方法。
【請求項３３】
前記１つまたは複数の導電層は、前記長手方向に沿って互いから分離される、請求項１〜３２のいずれか１項に記載の方法。
【請求項３４】
前記１つまたは複数の導電層は、前記層の間に伸縮自在のフィルムを有することにより横方向に沿って互いから分離される、請求項１〜３３のいずれか１項に記載の方法。
【請求項３５】
前記伸縮自在のフィルムは、前記電気特性が前記伸縮自在のフィルムの静電容量であることを画定する、請求項３４に記載の方法。
【請求項３６】
前記伸縮自在のフィルムは、前記第１の弾性支持材料と同程度に伸びることができる、請求項３４〜３５のいずれか１項に記載の方法。
【請求項３７】
前記電気特性は前記導電層（複数可）の抵抗率である、請求項１〜３６のいずれか１項に記載の方法。
【請求項３８】
前記測定ユニットは前記１つまたは複数の導電層に関連した電気特性を測定するようにさらに構成され、前記電気特性は温度および／または湿度に関連する、請求項１〜３７のいずれか１項に記載の方法。
【請求項３９】
前記デバイスは、温度および／または湿度を測定するためにセンサをさらに備える、請求項１〜３８のいずれか１項に記載の方法。
【請求項４０】
前記測定ユニットは前記第１の弾性支持材料に取り付けられる、請求項１〜３９のいずれか１項に記載の方法。
【請求項４１】
前記測定ユニットは前記第１の弾性支持材料から切り離される、請求項１〜４０のいずれか１項に記載の方法。
【請求項４２】
前記１つまたは複数の導電層と接触する少なくとも１つの追加層をさらに備え、前記少なくとも１つの追加層は弾性であり、前記少なくとも１つの追加層は前記１つまたは複数の導電層に湿潤が移動しないように構成される、請求項１〜４１のいずれか１項に記載の方法。
【請求項４３】
前記少なくとも１つの追加層は前記第１の弾性支持材料と同一である、請求項４２に記載の方法。
【請求項４４】
前記少なくとも１つの追加層は、弛緩した状態で１ｃｍ〜１５ｃｍ、例えば２〜１０ｃｍの追加層の幅を有する、請求項４２〜４３のいずれか１項に記載の方法。
【請求項４５】
前記少なくとも１つの追加層は、前記第１の弾性支持材料と同程度に伸びることができる、請求項４２〜４４のいずれか１項に記載の方法。
【請求項４６】
身体部上の圧迫包帯の効果を決定するための方法であって、
前記身体部上に圧迫包帯または衣類を有することであって、前記包帯または前記衣類は前記包帯または衣類の下、内部または上に少なくとも１つのセンサを備え、各センサは、
前記身体部の少なくとも一部の上または周りの１つまたは複数の導電層であって、前記導電層（複数可）は伸縮自在である、１つまたは複数の導電層と、
前記１つまたは複数の導電層に電気接続される測定ユニットであって、前記測定ユニットは、前記１つまたは複数の導電層に関連した電気特性を測定するように構成され、前記電気特性は前記身体部の周囲の測定値に関連し、前記電気特性は静電容量であり、前記静電容量は前記１つまたは複数の導電層の長さに比例する、測定ユニットと
を備える、圧迫包帯または衣類を有することと、
前記身体部の周囲の複数の測定値を所定の期間登録することと、
前記身体部の周囲が前記所定の期間に所定の間隔の範囲内で変化するときに、前記包帯が効率的であることを決定することと
を含む、方法。
【請求項４７】
前記所定の間隔は０．５ｃｍ〜３．０ｃｍの範囲である、請求項４６に記載の方法。
【請求項４８】
請求項２〜４５のいずれか１項の特徴の１つまたは複数を有する、請求項４７に記載の方法。
【請求項４９】
身体部に包帯を巻くための圧迫包帯または衣類の耐用寿命の終了を決定するための方法であって、
前記身体部上に圧迫包帯または衣類を有することであって、前記包帯または前記衣類は前記包帯または衣類の下、内部または上で前記身体部に少なくとも１つのセンサを備え、各センサは、
前記身体部の少なくとも一部の上または周りの１つまたは複数の導電層であって、前記導電層（複数可）は伸縮自在である、１つまたは複数の導電層と、
前記１つまたは複数の導電層に電気接続される測定ユニットであって、前記測定ユニットは、前記１つまたは複数の導電層に関連した電気特性を測定するように構成され、前記電気特性は前記身体部の周囲の測定値に関連し、前記電気特性は静電容量であり、前記静電容量は前記１つまたは複数の導電層の長さに比例する、測定ユニットと
を備える、圧迫包帯または衣類を有することと、
前記身体部の周囲の複数の測定値を所定の期間登録することと、
前記身体部の周囲が所定のカットオフを超えて増加した、かつ／または前記増加が前記所定の期間に所定のカットオフを超えたときに、前記圧迫包帯または衣類の耐用寿命が終了したことを決定することと
を含む、方法。
【請求項５０】
前記増加に対する前記所定のカットオフは３．０ｃｍである、請求項４９に記載の方法。
【請求項５１】
請求項２〜４５のいずれか１項の特徴の１つまたは複数を有する、請求項４９または５０に記載の方法。
【請求項５２】
包帯を巻いた身体部の下の皮膚感染症の危険性を決定するための包帯を巻く方法であって、
前記包帯を巻いた身体部上で、前記包帯を巻いた身体部は包帯を巻くことを含み、前記包帯を巻くことは前記包帯を巻いた下、内部または上にセンサを備え、前記センサは、
前記身体部の少なくとも一部の上または周りの１つまたは複数の導電層であって、前記導電層（複数可）は伸縮自在である、１つまたは複数の導電層と、
前記１つまたは複数の導電層に電気接続される測定ユニットであって、前記測定ユニットは、前記１つまたは複数の導電層に関連した電気特性を測定するように構成され、前記電気特性は前記身体部の周囲の測定値に関連し、前記電気特性は静電容量であり、前記静電容量は前記１つまたは複数の導電層の長さに比例する、測定ユニットと、
前記身体部の温度および／または湿度を測定するように構成された測定ユニットと
を備える、前記包帯を巻いた身体部は包帯を巻くことと、
前記身体部の複数の前記測定値を所定の期間登録することと、
温度および／または湿度の前記測定値が前記所定の期間に所定のカットオフを超えて増加したときに、前記包帯の下に皮膚感染症の危険性があることを決定することと
を含む、方法。
【請求項５３】
前記身体部の温度および／または湿度を測定するように構成された前記測定ユニットは、前記１つまたは複数の導電層に電気接続され、それによって前記測定ユニットは前記１つまたは複数の導電層に関連した電気特性を測定するように構成され、前記電気特性は、前記身体部の温度および／または湿度の測定値に関連する、請求項５２に記載の方法。
【請求項５４】
前記測定ユニットは温度および／または湿度を測定するためにセンサを備える、請求項５２または５３に記載の方法。
【請求項５５】
請求項２〜４５のいずれか１項の特徴の１つまたは複数を有する、請求項５２〜５４のいずれか１項に記載の方法。
【請求項５６】
浮腫を有する身体部上に包帯を巻く圧力を加えるための方法であって、
前記身体部上に包帯を巻くことを有することであって、前記包帯を巻くことは前記包帯を巻いた下、内部または上に作動可能なセンサを備え、前記センサは、
前記身体部の少なくとも一部の上または周りの１つまたは複数の導電層であって、前記導電層（複数可）は伸縮自在であり、前記導電層（複数可）は前記層（複数可）に印加された信号により収縮可能である、１つまたは複数の導電層と、
前記１つまたは複数の導電層に電気接続される測定ユニットであって、前記測定ユニットは、前記１つまたは複数の導電層に関連した電気特性を測定するように構成され、前記電気特性は前記静電容量であり、前記静電容量は前記１つまたは複数の導電層の長さに比例し、前記電気特性は、前記身体部の温度および／または湿度の測定値に関連する、測定ユニットと
を備える、前記身体部上に包帯を巻くことを有することと、
前記身体部の複数の前記測定値を所定の期間登録することと、
前記身体部の周囲が前記所定の期間の後に所定のカットオフを超えて増加するときに、前記センサを作動させ、それによって前記センサを収縮することと
を含む、方法。
【請求項５７】
前記方法は制御ユニットおよび送信ユニットも含み、それによって前記制御ユニットは前記長手方向軸に沿って前記１つまたは複数の導電層の長さを制御するように構成される、請求項５６に記載の方法。
【請求項５８】
前記制御ユニットは、前記送信ユニットから直接前記身体部の周囲の測定値を受信する、請求項５７に記載の方法。
【請求項５９】
前記信号は、前記１つまたは複数の導電層が前記層（複数可）の収縮をもたらすための電気信号である、請求項５６〜５８のいずれか１項に記載の方法。
【請求項６０】
少なくとも２つの作動可能なセンサが付けられ、前記センサの作動は各センサに個別に行われる、請求項５６〜５９のいずれか１項に記載の方法。
【請求項６１】
前記センサの前記収縮は前記所定の期間維持される、請求５６〜６０のいずれか１項に記載の方法。
【請求項６２】
前記作動可能なセンサは収縮と弛緩の反復のパルス運動を行う、請求項５６〜６０のいずれか１項に記載の方法。
【請求項６３】
身体部内の慢性浮腫の維持治療のための圧迫衣類を設計するための方法であって、
少なくとも１つの所定期間に請求項４６〜４８のいずれか１項に定義されたような方法により、少なくとも１つのセンサ位置から前記身体部の周囲の前記複数の測定値を獲得することと、
前記センサ位置に対応する前記身体部のそれぞれの区分に対する前記圧迫要求を決定することと、
前記決定された圧迫要求に基づいて圧迫ストッキングを設計することと
を含む、方法。
【請求項６４】
前記圧迫ストッキングは、少なくとも２つのストッキング区分を有するように設計され、前記少なくとも２つのストッキング区分は異なる圧迫特徴を有する、請求項６３に記載の方法。
【請求項６５】
周囲の測定値は少なくとも２つのセンサ位置に対して獲得される、請求項６３または６４に記載の方法。
【請求項６６】
少なくとも第１の区分および第２の区分を備える維持圧迫治療のための圧迫ストッキングであって、前記第１の区分内の前記圧迫特徴は前記第２の区分内の前記圧迫特徴と異なる、圧迫ストッキング。
【請求項６７】
個人のための治療計画を同定するための方法であって、
前記身体部上に包帯を巻くことを有することであって、前記包帯を巻くことは、前記包帯を巻いた下、内部または上に少なくとも１つのセンサを備え、各センサは、
前記身体部の少なくとも一部の上または周りの１つまたは複数の導電層であって、前記導電層（複数可）は伸縮自在である、１つまたは複数の導電層と、
前記１つまたは複数の導電層１つまたは複数の導電層に電気接続される測定ユニットであって、前記測定ユニットは、前記１つまたは複数の導電層に関連した電気特性を測定するように構成され、前記電気特性は前記身体部の周囲の測定値に関連し、前記電気特性は静電容量であり、前記静電容量は前記１つまたは複数の導電層の長さに比例する、測定ユニットと
を備える、前記身体部上に包帯を巻くことを有するステップと、
前記身体部の周囲の複数の測定値を所定の期間登録するステップと、
前記身体部の動きの複数の測定値を前記所定の期間登録するステップと、
前記身体部の動きの前記複数の測定値から治療計画を決定するステップと
を含む、方法。
【請求項６８】
前記身体部の動きの前記複数の測定値は加速度計を使用して測定される、請求項６７に記載の方法。
【請求項６９】
前記身体部の動きの前記複数の測定値は前記センサを使用して測定される、請求項６７に記載の方法。
【請求項７０】
前記加速度計は前記センサと統合される、請求項６８に記載の方法。
【請求項７１】
前記治療計画は前記個人の活動に関連する、請求項６７〜７０のいずれか１項に記載の方法。
【請求項７２】
前記治療計画は前記個人のタイプに関連する、請求項６７〜７１のいずれか１項に記載の方法。
【請求項７３】
前記治療計画は表示装置上で前記個人に表示される、請求項６７〜７２のいずれか１項に記載の方法。
【請求項７４】
前記身体部に少なくとも１つのセンサを付けるステップに続いて、
伸びの量が所定量未満である場合に、伸びの不足に関する警告が前記個人に表示装置上で表示され、
伸びの量が所定量を超える場合、伸びの過剰に関する警告が前記個人に表示装置上で表示される
ように、前記センサの伸びの量を決定するステップが続く、請求項１〜７３のいずれか１項に記載の方法。
【国際調査報告】
2019509147.tif 000025
2019509147.tif 000026
2019509147.tif 000027
2019509147.tif 000028
2019509147.tif 000029
2019509147.tif 000030